(57)【要約】利便性または信頼性に優れた新規な表示パネルを提供する。表示領域と第１の機能層と第２の機能層とを有する表示パネルであって、表示領域は画素を備え、画素は表示素子および画素回路を備える。また、第１の機能層は、画素回路、走査線および第１の接続部を含み、表示素子は画素回路と電気的に接続され、画素回路は走査線と電気的に接続される。また、第２の機能層は第１の機能層と重なる領域を備え、第２の機能層は駆動回路および配線を含み、駆動回路は表示素子との間に画素回路を挟むように設けられる。配線は、第１の接続部において、走査線と電気的に接続され、配線は駆動回路と電気的に接続される。
2019150210.tif 000002
【特許請求の範囲】
【請求項１】
表示領域と、
第１の機能層と、
第２の機能層と、
第１の接続部と、を有し、
前記表示領域は、画素を備え、
前記画素は、表示素子および画素回路を備え、
前記第１の機能層は、前記画素回路および走査線を含み、
前記表示素子は、前記画素回路と電気的に接続され、
前記画素回路は、前記走査線と電気的に接続され、
前記第２の機能層は、第１の機能層と重なる領域を備え、
前記第２の機能層は、駆動回路および配線を含み、
前記駆動回路は、前記表示素子との間に前記画素回路を挟むように設けられ、
前記配線は、前記第１の接続部において、前記走査線と電気的に接続され、
前記配線は、前記駆動回路と電気的に接続される、表示パネル。
【請求項２】
端子を有し、
前記第１の機能層は、信号線、補助信号線および第２の接続部を含み、
前記信号線は、前記画素回路と電気的に接続され、
前記信号線は、前記第２の接続部において、前記補助信号線と電気的に接続され、
前記補助信号線は、他の信号線と交差する領域を備え、
前記補助信号線は、前記端子と電気的に接続される、請求項１に記載の表示パネル。
【請求項３】
前記表示領域は、第１の走査線および第２の走査線を含み、
前記第２の走査線は、前記第１の走査線より少ない画素と電気的に接続される、請求項１または請求項２に記載の表示パネル。
【請求項４】
前記表示領域は、第１の信号線および第２の信号線を含み、
前記第２の信号線は、前記第１の信号線より少ない画素と電気的に接続される、請求項１乃至請求項３のいずれか一に記載の表示パネル。
【請求項５】
前記表示領域は、一群の画素および他の一群の画素を備え、
前記一群の画素は、前記画素を含み、
前記一群の画素は、行方向に配設され、
前記一群の画素は、前記走査線と電気的に接続され、
前記他の一群の画素は、前記画素を含み、
前記他の一群の画素は、行方向と交差する列方向に配設され、
前記他の一群の画素は、前記信号線と電気的に接続される、請求項１乃至請求項４のいずれか一に記載の表示パネル。
【請求項６】
一群の接続部を有し、
前記一群の接続部は、前記第１の接続部を含み、
前記走査線は、前記一群の接続部において、前記配線と電気的に接続される、請求項１乃至請求項５のいずれか一に記載の表示パネル。
【請求項７】
前記第１の接続部は、導電部材を含み、
前記導電部材は、前記走査線Ｇ１（ｉ）および前記配線を電気的に接続する機能を備える、請求項１乃至請求項６のいずれか一に記載の表示パネル。
【請求項８】
請求項１乃至請求項７のいずれか一に記載の表示パネルと、
制御部と、を有し、
前記制御部は、画像情報および制御情報を供給され、
前記制御部は、前記画像情報に基づいて情報を生成し、
前記制御部は、前記制御情報にもとづいて制御信号を生成し、
前記制御部は、前記情報および前記制御信号を供給し、
前記表示パネルは、前記情報および前記制御信号を供給され、
前記駆動回路は、前記制御信号に基づいて動作し、
前記画素は、前記情報に基づいて表示する、表示装置。
【請求項９】
入力部と、表示部と、を有し、
前記表示部は、請求項１乃至請求項７のいずれか一に記載の表示パネルを備え、
前記入力部は、検知領域を備え、
前記入力部は、前記検知領域に近接するものを検知し、
前記検知領域は、前記画素と重なる領域を備える入出力装置。
【請求項１０】
キーボード、ハードウェアボタン、ポインティングデバイス、タッチセンサ、照度センサ、撮像装置、音声入力装置、視線入力装置、姿勢検出装置、のうち一以上と、請求項１乃至請求項７のいずれか一に記載の表示パネルと、を含む、情報処理装置。
【発明の詳細な説明】
【技術分野】
【０００１】本発明の一態様は、表示パネル、表示装置、入出力装置または情報処理装置に関する。【０００２】なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】表示領域と端子電極とを有し、端子電極は表示領域と互いに重なり、端子電極は表示領域の非表示面側から外部電極と電気的に接続する表示装置が知られている（特許文献１）。【０００４】また、表示画面となるフレキシブルなパネル基板と、上記パネル基板の、表示画面となる面とは反対側の面上に縦横に配された表示素子とを備えた表示部と、駆動回路部とを有し、上記駆動回路部が、フレキシブルな駆動回路基板上にフレキシブルな半導体材料により形成された半導体素子が実装されてなる表示装置が知られている（特許文献２）。
【先行技術文献】
【特許文献】
【０００５】
【特許文献１】米国特許出願公開第２０１６／０３００８５３号明細書
【特許文献２】米国特許出願公開第２００２／００７１０８２号明細書
【発明の概要】
【発明が解決しようとする課題】
【０００６】本発明の一態様は、利便性または信頼性に優れた新規な表示パネルを提供することを課題の一とする。または、利便性または信頼性に優れた新規な表示装置を提供することを課題の一とする。または、利便性または信頼性に優れた新規な入出力装置を提供することを課題の一とする。または、利便性または信頼性に優れた新規な情報処理装置を提供することを課題の一とする。または、新規な表示パネル、新規な表示装置、新規な入出力装置、新規な情報処理装置または新規な半導体装置を提供することを課題の一とする。【０００７】なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００８】（１）本発明の一態様は、表示領域２３１と、第１の機能層５２０Ａと、第２の機能層５２０Ｂと、第１の接続部５９１Ｃ（ｉ，ｙ）と、を有する表示パネル７００である。【０００９】表示領域２３１は、画素７０２（ｉ，ｊ）を備える。画素７０２（ｉ，ｊ）は、表示素子５５０（ｉ，ｊ）および画素回路５３０（ｉ，ｊ）を備える。【００１０】第１の機能層５２０Ａは、画素回路５３０（ｉ，ｊ）および走査線Ｇ１（ｉ）を含み、表示素子５５０（ｉ，ｊ）は、画素回路５３０（ｉ，ｊ）と電気的に接続される。【００１１】画素回路５３０（ｉ，ｊ）は、走査線Ｇ１（ｉ）と電気的に接続される。【００１２】第２の機能層５２０Ｂは、第１の機能層５２０Ａと重なる領域を備え、第２の機能層５２０Ｂは、駆動回路ＧＤおよび配線Ｇ２（ｉ）を含む。【００１３】駆動回路ＧＤは、表示素子５５０（ｉ，ｊ）との間に画素回路５３０（ｉ，ｊ）を挟むように設けられる。【００１４】配線Ｇ２（ｉ）は、第１の接続部５９１Ｃ（ｉ，ｙ）において、走査線Ｇ１（ｉ）と電気的に接続され、配線Ｇ２（ｉ）は駆動回路ＧＤと電気的に接続される。【００１５】これにより、駆動回路ＧＤの配置に係る自由度を高めることができる。例えば、表示領域２３１に重ねて駆動回路ＧＤを配置することができる。または、駆動回路ＧＤの外形を表示パネル７００の外形に沿わせる必要がなくなる。または、表示パネル７００の外形に係る自由度を高めることができる。例えば、曲線を表示領域２３１の輪郭に用いることができる。または、表示パネル７００の外形を小さくすることができる。その結果、利便性または信頼性に優れた新規な表示パネルを提供することができる。【００１６】（２）また、本発明の一態様は、端子５１９Ｃ（ｊ）を有する上記の表示パネル７００である。【００１７】第１の機能層５２０Ａは、信号線Ｓ１（ｊ）、補助信号線Ｓ２（ｊ）および第２の接続部５９１Ｄ（ｊ）を含む。【００１８】信号線Ｓ１（ｊ）は、画素回路５３０（ｉ，ｊ）と電気的に接続され、信号線Ｓ１（ｊ）は、第２の接続部５９１Ｄ（ｊ）において、補助信号線Ｓ２（ｊ）と電気的に接続される。【００１９】補助信号線Ｓ２（ｊ）は他の信号線Ｓ１（ｊ＋１）と交差する領域を備え、補助信号線Ｓ２（ｊ）は端子５１９Ｃ（ｊ）と電気的に接続される。【００２０】これにより、端子５１９Ｃ（ｊ）の配置に係る自由度を高めることができる。または、表示パネル７００の外形に係る自由度を高めることができる。または、表示パネル７００の外形を小さくすることができる。その結果、利便性または信頼性に優れた新規な表示パネルを提供することができる。【００２１】（３）また、本発明の一態様は、表示領域２３１が一の走査線Ｇ１（ｉ）および他の走査線Ｇ１（ｐ）を含み、他の走査線Ｇ１（ｐ）は走査線Ｇ１（ｉ）より少ない画素と電気的に接続される、上記の表示パネルである。【００２２】（４）また、本発明の一態様は、表示領域２３１が一の信号線Ｓ１（ｊ）および他の信号線Ｓ１（ｑ）を含み、他の信号線Ｓ１（ｑ）は信号線Ｓ１（ｊ）より少ない画素と電気的に接続される、上記の表示パネルである。【００２３】これにより、表示パネル７００の外形に係る自由度を高めることができる。例えば、表示領域２３１の輪郭に曲線を用いることができる。または、曲線を用いる表示領域に表示パネルの外形を沿わせることができる。または、例えば、曲線に沿って画素を配置することができる。その結果、利便性または信頼性に優れた新規な表示パネルを提供することができる。【００２４】（５）また、本発明の一態様は、表示領域２３１が一群の画素７０２（ｉ，１）乃至画素７０２（ｉ，ｎ）および他の一群の画素７０２（１，ｊ）乃至画素７０２（ｍ，ｊ）を備える上記の表示パネルである。【００２５】一群の画素７０２（ｉ，１）乃至画素７０２（ｉ，ｎ）は画素７０２（ｉ，ｊ）を含み、一群の画素７０２（ｉ，１）乃至画素７０２（ｉ，ｎ）は、行方向に配設される。また、一群の画素７０２（ｉ，１）乃至画素７０２（ｉ，ｎ）は、走査線Ｇ１（ｉ）と電気的に接続される。【００２６】他の一群の画素７０２（１，ｊ）乃至画素７０２（ｍ，ｊ）は、画素７０２（ｉ，ｊ）を含み、他の一群の画素７０２（１，ｊ）乃至画素７０２（ｍ，ｊ）は、行方向と交差する列方向に配設される。また、他の一群の画素７０２（１，ｊ）乃至画素７０２（ｍ，ｊ）は、信号線Ｓ１（ｊ）と電気的に接続される。【００２７】これにより、複数の画素に画像情報を供給することができる。その結果、利便性または信頼性に優れた新規な表示パネルを提供することができる。【００２８】（６）また、本発明の一態様は、一群の接続部５９１Ｃ（ｉ，１）乃至接続部５９１Ｃ（ｉ，ｈ）を有する上記の表示パネルである。なお、ｈは１以上の自然数であり、１より大きくｎより小さい自然数が好ましい。【００２９】一群の接続部５９１Ｃ（ｉ，１）乃至接続部５９１Ｃ（ｉ，ｈ）は第１の接続部５９１Ｃ（ｉ，ｙ）を含み、走査線Ｇ１（ｉ）は、一群の接続部５９１Ｃ（ｉ，１）乃至接続部５９１Ｃ（ｉ，ｈ）において、配線Ｇ２（ｉ）と電気的に接続される。【００３０】これにより、走査線Ｇ１（ｉ）を配線Ｇ２（ｉ）と電気的に接続することができる。または、接続不良が発生する確率を低減することができる。その結果、利便性または信頼性に優れた新規な表示パネルを提供することができる。【００３１】（７）また、本発明の一態様は、第１の接続部５９１Ｃ（ｉ，ｙ）が導電部材ＣＰを含み、導電部材ＣＰは走査線Ｇ１（ｉ）および配線Ｇ２（ｉ）を電気的に接続する機能を備える、上記の表示パネル７００である。【００３２】これにより、走査線Ｇ１（ｉ）を配線Ｇ２（ｉ）と電気的に接続することができる。または、接続不良が発生する確率を低減することができる。その結果、利便性または信頼性に優れた新規な表示パネルを提供することができる。【００３３】（８）また、本発明の一態様は、上記の表示パネル７００と、制御部２３８と、を有する表示装置である。【００３４】制御部２３８は画像情報Ｖ１および制御情報ＣＩを供給され、制御部２３８は画像情報Ｖ１に基づいて情報Ｖ１１を生成し、制御部２３８は制御情報ＣＩにもとづいて制御信号ＳＰを生成する。また、制御部２３８は情報Ｖ１１および制御信号ＳＰを供給する。【００３５】表示パネル７００は、情報Ｖ１１および制御信号ＳＰを供給される。なお、駆動回路ＧＤは制御信号ＳＰに基づいて動作し、画素７０２（ｉ，ｊ）は情報Ｖ１１に基づいて表示する。【００３６】これにより、表示素子を用いて画像情報を表示することができる。その結果、利便性または信頼性に優れた新規な表示装置を提供することができる。【００３７】（９）また、本発明の一態様は、入力部２４０と、表示部２３０と、を有する入出力装置である。【００３８】表示部２３０は上記の表示パネル７００を備え、入力部２４０は検知領域２４１を備える。【００３９】入力部２７０は検知領域２４１に近接するものを検知し、検知領域２４１は画素７０２（ｉ，ｊ）と重なる領域を備える。【００４０】これにより、表示部を用いて画像情報を表示しながら、表示部と重なる領域に近接するものを検知することができる。または、表示部に近接させる指などをポインタに用いて、位置情報を入力することができる。または、位置情報を表示部に表示する画像情報に関連付けることができる。その結果、利便性または信頼性に優れた新規な入出力装置を提供することができる。【００４１】（１０）また、本発明の一態様は、キーボード、ハードウェアボタン、ポインティングデバイス、タッチセンサ、照度センサ、撮像装置、音声入力装置、視線入力装置、姿勢検出装置、のうち一以上と、上記の表示パネルと、を含む、情報処理装置である。【００４２】これにより、さまざまな入力装置を用いて供給する情報に基づいて、画像情報または制御情報を演算装置に生成させることができる。その結果、利便性または信頼性に優れた新規な情報処理装置を提供することができる。【００４３】本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。【００４４】本明細書においてトランジスタが有するソースとドレインは、トランジスタの極性及び各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチャネル型トランジスタでは、低い電位が与えられる端子がドレインと呼ばれ、高い電位が与えられる端子がソースと呼ばれる。本明細書では、便宜上、ソースとドレインとが固定されているものと仮定して、トランジスタの接続関係を説明する場合があるが、実際には上記電位の関係に従ってソースとドレインの呼び方が入れ替わる。【００４５】本明細書においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。【００４６】本明細書においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。【００４７】本明細書において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。【００４８】本明細書において回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。【００４９】また、本明細書中において、トランジスタの第１の電極または第２の電極の一方がソース電極を、他方がドレイン電極を指す。
【発明の効果】
【００５０】本発明の一態様によれば、利便性または信頼性に優れた新規な表示パネルを提供することができる。または、利便性または信頼性に優れた新規な表示装置を提供することができる。または、利便性または信頼性に優れた新規な入出力装置を提供することができる。または、利便性または信頼性に優れた新規な情報処理装置を提供することができる。または、新規な表示パネル、新規な表示装置、新規な入出力装置、新規な情報処理装置または新規な半導体装置を提供することができる。【００５１】なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００５２】
【図１】実施の形態に係る表示パネルの構成を説明する図。
【図２】実施の形態に係る表示パネルの構成を説明する図。
【図３】実施の形態に係る表示パネルの構成を説明する図。
【図４】実施の形態に係る表示パネルの構成を説明する断面図。
【図５】実施の形態に係る表示パネルの構成を説明する断面図。
【図６】実施の形態に係る表示パネルの構成を説明する図。
【図７】実施の形態に係る表示パネルの構成を説明する図。
【図８】実施の形態に係る表示パネルの構成を説明する断面図。
【図９】実施の形態に係る表示パネルの構成を説明する断面図。
【図１０】実施の形態に係る表示パネルの構成を説明する図。
【図１１】実施の形態に係る表示装置を説明する図。
【図１２】実施の形態に係る入出力装置を説明する図。
【図１３】実施の形態に係る情報処理装置を説明する図。
【図１４】実施の形態に係るプログラムを説明するフローチャート。
【図１５】実施の形態に係る入出力装置を説明する図。
【図１６】実施の形態に係る情報処理装置を説明する図。
【図１７】実施の形態に係る情報処理装置を説明する図。
【発明を実施するための形態】
【００５３】本発明の一態様は、表示領域と第１の機能層と第２の機能層と第１の接続部とを有する表示パネルである。表示領域は画素を備え、画素は表示素子および画素回路を備える。また、第１の機能層は、画素回路および走査線を含み、表示素子は画素回路と電気的に接続され、画素回路は走査線と電気的に接続される。また、第２の機能層は第１の機能層と重なる領域を備え、第２の機能層は駆動回路および配線を含み、駆動回路は表示素子との間に画素回路を挟むように設けられる。配線は、第１の接続部において、走査線と電気的に接続され、配線は駆動回路と電気的に接続される。
【００５４】これにより、駆動回路の配置に係る自由度を高めることができる。例えば、表示領域に重ねて駆動回路を配置することができる。または、表示パネルの外形に係る自由度を高めることができる。例えば、曲線を表示領域の輪郭に用いることができる。または、表示パネルの外形を小さくすることができる。その結果、利便性または信頼性に優れた新規な表示パネルを提供することができる。
【００５５】実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００５６】（実施の形態１）
本実施の形態では、本発明の一態様の表示パネルの構成について、図１乃至図９を参照しながら説明する。
【００５７】図１は本発明の一態様の表示パネルの構成を説明する図である。図１（Ａ）は本発明の一態様の表示パネルの上面図であり、図１（Ｂ）は図１（Ａ）の切断線Ｘ１−Ｘ２、Ｘ３−Ｘ４、Ｘ９−Ｘ１０における断面図である。
【００５８】図２は本発明の一態様の表示パネルの構成を説明する図である。図２（Ａ）は本発明の一態様の表示パネルの模式図であり、図２（Ｂ）は図２（Ａ）の画素７０２（ｉ，ｊ）を説明する画素回路である。
【００５９】図３は本発明の一態様の表示パネルの構成を説明する図である。図３（Ａ）は本発明の一態様の表示パネルの一部の斜視図であり、図３（Ｂ）は図３（Ａ）に対応する上面図である。
【００６０】図４は本発明の一態様の表示パネルの構成を説明する図である。図４（Ａ）は図３（Ｂ）の切断線Ｙ１−Ｙ２における断面図であり、図４（Ｂ）は図４（Ａ）の一部を説明する断面図である。
【００６１】図５は本発明の一態様の表示パネルの構成を説明する図である。図５は図３（Ｂ）の切断線Ｙ３−Ｙ４における断面図である。
【００６２】図６は本発明の一態様の表示パネルの構成を説明する図である。図６（Ａ）は本発明の一態様の表示パネルの一部の上面図であり、図６（Ｂ）は図６（Ａ）の詳細を説明する模式図である。
【００６３】図７（Ａ）は図６（Ｂ）の一部を説明する上面図であり、図７（Ｂ）は図６（Ｂ）の他の一部を説明する上面図である。
【００６４】図８は本発明の一態様の表示パネルの変形例の構成を説明する図である。図８は図３（Ｂ）の切断線Ｙ１−Ｙ２における断面図である。
【００６５】図９は本発明の一態様の表示パネルの変形例の構成を説明する図である。図９は図３（Ｂ）の切断線Ｙ３−Ｙ４における断面図である。
【００６６】図１０は本発明の一態様の表示パネルの構成を説明する図である。図１０（Ａ）は表示領域および駆動回路の配置を説明する上面図であり、図１０（Ｂ）は図１０（Ａ）の斜視図である。
【００６７】なお、本明細書において、１以上の整数を値にとる変数を符号に用いる場合がある。例えば、１以上の整数の値をとる変数ｐを含む（ｐ）を、最大ｐ個の構成要素のいずれかを特定する符号の一部に用いる場合がある。また、例えば、１以上の整数の値をとる変数ｍおよび変数ｎを含む（ｍ，ｎ）を、最大ｍ×ｎ個の構成要素のいずれかを特定する符号の一部に用いる場合がある。
【００６８】＜表示パネルの構成例１．＞
本実施の形態で説明する表示パネル７００は、表示領域２３１と、機能層５２０Ａと、機能層５２０Ｂと、第１の接続部５９１Ｃ（ｉ，ｙ）と、を有する（図１（Ａ）および図１（Ｂ）参照）。
【００６９】《表示領域２３１の構成例１．》
表示領域２３１は、画素７０２（ｉ，ｊ）を備える。
【００７０】《画素７０２（ｉ，ｊ）の構成例１．》
画素７０２（ｉ，ｊ）は、表示素子５５０（ｉ，ｊ）および画素回路５３０（ｉ，ｊ）を備える（図１（Ｂ）および図２（Ｂ）参照）。
【００７１】《機能層５２０Ａの構成例１．》
機能層５２０Ａは、画素回路５３０（ｉ，ｊ）および走査線Ｇ１（ｉ）を含む（図２（Ｂ）および図４（Ａ）参照）。
【００７２】《表示素子５５０（ｉ，ｊ）の構成例１．》
表示素子５５０（ｉ，ｊ）は、画素回路５３０（ｉ，ｊ）と電気的に接続される（図１（Ｂ）、図２（Ｂ）および図５参照）。
【００７３】表示素子５５０（ｉ，ｊ）は光を射出する機能を備え、表示素子５５０（ｉ，ｊ）は発光性の材料を含む層５５３（ｊ）を備える（図５参照）。
【００７４】例えば、光を射出する機能を備える表示素子を表示素子５５０（ｉ，ｊ）に用いることができる。具体的には、有機エレクトロルミネッセンス素子、無機エレクトロルミネッセンス素子、マイクロＬＥＤなどの発光ダイオードまたはＱＤＬＥＤ（Ｑｕａｎｔｕｍ  Ｄｏｔ  ＬＥＤ）等を、表示素子５５０（ｉ，ｊ）に用いることができる。
【００７５】《発光性の材料を含む層５５３（ｊ）の構成例１．》
例えば、信号線Ｓ１（ｊ）に沿って列方向に長い、帯状の積層材料を、発光性の材料を含む層５５３（ｊ）に用いることができる。
【００７６】具体的には、発光性の材料を含む層５５３（ｊ）、発光性の材料を含む層５５３（ｊ＋１）および発光性の材料を含む層５５３（ｊ＋２）に、色相が互いに異なる光を発する材料を用いることができる。これにより、例えば、表示素子５５０（ｉ，ｊ）が射出する光の色相を、列ごとに異ならせることができる。
【００７７】例えば、青色の光を発する材料、緑色の光を発する材料および赤色の光を発する材料を、色相が互いに異なる光を発する材料に用いることができる。
【００７８】《発光性の材料を含む層５５３（ｊ）の構成例２．》
例えば、白色の光を射出するように積層された積層材料を、発光性の材料を含む層５５３（ｊ）に用いることができる。
【００７９】具体的には、色相が互いに異なる光を発する材料を、発光性の材料を含む層５５３（ｊ）に用いることができる。
【００８０】例えば、青色の光を射出する蛍光材料を含む発光性の材料を含む層と、緑色および赤色の光を射出する蛍光材料以外の材料を含む層を積層した積層材料を、発光性の材料を含む層５５３（ｊ）に用いることができる。または青色の光を射出する蛍光材料を含む発光性の材料を含む層と、黄色の光を射出する蛍光材料以外の材料を含む層と、を積層した積層材料を、発光性の材料を含む層５５３（ｊ）に用いることができる。
【００８１】例えば、発光ユニットを発光性の材料を含む層５５３（ｊ）に用いることができる。発光ユニットは、一方から注入された電子が他方から注入された正孔と再結合する領域を１つ備える。また、発光ユニットは発光性の材料を含み、発光性の材料は、電子と正孔の再結合により生じるエネルギーを光として放出する。
【００８２】例えば、複数の発光ユニットおよび中間層を発光性の材料を含む層５５３（ｊ）に用いることができる。中間層は、二つの発光ユニットの間に挟まれる領域を備える。中間層は電荷発生領域を備え、中間層は陰極側に配置された発光ユニットに正孔を供給し、陽極側に配置された発光ユニットに電子を供給する機能を備える。また、複数の発光ユニットおよび中間層を備える構成をタンデム型の発光素子という場合がある。
【００８３】例えば、一の色相の光を発する材料を含む発光ユニットと、他の色相の光を発する材料を含む発光ユニットを、発光性の材料を含む層５５３（ｊ）に用いることができる。
【００８４】例えば、高分子化合物（オリゴマー、デンドリマー、ポリマー等）、中分子化合物（低分子と高分子の中間領域の化合物：分子量４００以上４０００以下）等を、発光性の材料を含む層５５３（ｊ）に用いることができる。
【００８５】《電極５５１（ｉ，ｊ）、電極５５２》
電極５５１（ｉ，ｊ）は、接続部５９１Ａにおいて、画素回路５３０（ｉ，ｊ）と電気的に接続される（図５参照）。
【００８６】例えば、配線等に用いることができる材料を電極５５１（ｉ，ｊ）または電極５５２に用いることができる。具体的には、可視光について透光性を有する材料を電極５５１（ｉ，ｊ）または電極５５２に用いることができる。
【００８７】例えば、導電性酸化物またはインジウムを含む導電性酸化物、酸化インジウム、インジウム錫酸化物、インジウム亜鉛酸化物、酸化亜鉛、ガリウムを添加した酸化亜鉛などを用いることができる。または、光が透過する程度に薄い金属膜を用いることができる。または、可視光について透光性を有する材料を用いることができる。
【００８８】例えば、光の一部を透過し、光の他の一部を反射する金属膜を電極５５１（ｉ，ｊ）または電極５５２に用いることができる。これにより、例えば、電極５５１（ｉ，ｊ）および電極５５２の間の距離を調整することができる。または、微小共振器構造を表示素子５５０（ｉ，ｊ）に設けることができる。または、所定の波長の光を他の光より効率よく取り出すことができる。または、スペクトルの半値幅が狭い光を取り出すことができる。または、鮮やかな色の光を取り出すことができる。
【００８９】例えば、効率よく光を反射する膜を、電極５５１（ｉ，ｊ）または電極５５２に用いることができる。具体的には、銀およびパラジウム等を含む材料または銀および銅等を含む材料を金属膜に用いることができる。
【００９０】《画素回路５３０（ｉ，ｊ）の構成例１．》
画素回路５３０（ｉ，ｊ）は、走査線Ｇ１（ｉ）と電気的に接続される（図２（Ｂ）および図４（Ａ）参照）。
【００９１】例えば、スイッチ、トランジスタ、ダイオード、抵抗素子、インダクタまたは容量素子等を画素回路５３０（ｉ，ｊ）に用いることができる。
【００９２】画素回路５３０（ｉ，ｊ）は、スイッチＳＷ２、トランジスタＭおよび容量素子Ｃ２１を含む。例えば、トランジスタをスイッチＳＷ２に用いることができる。
【００９３】《スイッチＳＷ２の構成例１．》
スイッチＳＷ２に用いるトランジスタは半導体を含む。
【００９４】トランジスタは、半導体膜５０８、導電膜５０４、導電膜５１２Ａおよび導電膜５１２Ｂを備える（図４（Ｂ）参照）。
【００９５】半導体膜５０８は、導電膜５１２Ａと電気的に接続される領域５０８Ａ、導電膜５１２Ｂと電気的に接続される領域５０８Ｂを備える。半導体膜５０８は、領域５０８Ａおよび領域５０８Ｂの間に領域５０８Ｃを備える。
【００９６】導電膜５０４は領域５０８Ｃと重なる領域を備え、導電膜５０４はゲート電極の機能を備える。
【００９７】絶縁膜５０６は、半導体膜５０８および導電膜５０４の間に挟まれる領域を備える。絶縁膜５０６はゲート絶縁膜の機能を備える。
【００９８】導電膜５１２Ａはソース電極の機能またはドレイン電極の機能の一方を備え、導電膜５１２Ｂはソース電極の機能またはドレイン電極の機能の他方を備える。なお、導電膜５１２Ａまたは導電膜５１２Ｂを配線Ｇ２（ｉ）に用いることができる。
【００９９】《トランジスタＭの構成例１．》
例えば、同一の工程で形成することができる半導体膜をスイッチＳＷ２に用いるトランジスタおよびトランジスタＭに用いることができる。また、同一の構成をスイッチＳＷ２に用いるトランジスタおよびトランジスタＭに用いることができる。
【０１００】また、導電膜５２４をトランジスタに用いることができる。導電膜５２４は、導電膜５０４との間に半導体膜５０８を挟む領域を備える。導電膜５２４は、第２のゲート電極の機能を備える。導電膜５２４を、例えば、導電膜５０４と電気的に接続することができる。
【０１０１】なお、例えば、同一の工程で形成することができる半導体膜を駆動回路および画素回路のトランジスタに用いることができる。
【０１０２】例えば、ボトムゲート型のトランジスタまたはトップゲート型のトランジスタなどを画素回路５３０（ｉ，ｊ）に用いることができる。または、駆動回路のトランジスタに用いることができる。
【０１０３】《半導体膜５０８の構成例１．》
例えば、１４族の元素を含む半導体を半導体膜５０８に用いることができる。具体的には、シリコンを含む半導体を半導体膜５０８に用いることができる。
【０１０４】［水素化アモルファスシリコン］
例えば、水素化アモルファスシリコンを半導体膜５０８に用いることができる。または、微結晶シリコンなどを半導体膜５０８に用いることができる。これにより、例えば、ポリシリコンを半導体膜５０８に用いる表示パネルより、表示ムラが少ない表示パネルを提供することができる。または、表示パネルの大型化が容易である。
【０１０５】［ポリシリコン］
例えば、ポリシリコンを半導体膜５０８に用いることができる。これにより、例えば、水素化アモルファスシリコンを半導体膜５０８に用いるトランジスタより、トランジスタの電界効果移動度を高くすることができる。または、例えば、水素化アモルファスシリコンを半導体膜５０８に用いるトランジスタより、駆動能力を高めることができる。または、例えば、水素化アモルファスシリコンを半導体膜５０８に用いるトランジスタより、画素の開口率を向上することができる。
【０１０６】または、例えば、水素化アモルファスシリコンを半導体膜５０８に用いるトランジスタより、トランジスタの信頼性を高めることができる。
【０１０７】または、トランジスタの作製に要する温度を、例えば、単結晶シリコンを用いるトランジスタより、低くすることができる。
【０１０８】または、駆動回路のトランジスタに用いる半導体膜を、画素回路のトランジスタに用いる半導体膜と同一の工程で形成することができる。または、画素回路を形成する基板と同一の基板上に駆動回路を形成することができる。または、電子機器を構成する部品数を低減することができる。
【０１０９】［単結晶シリコン］
例えば、単結晶シリコンを半導体膜に用いることができる。これにより、例えば、水素化アモルファスシリコンを半導体膜５０８に用いる表示パネルより、精細度を高めることができる。または、例えば、ポリシリコンを半導体膜５０８に用いる表示パネルより、表示ムラが少ない表示パネルを提供することができる。または、例えば、スマートグラスまたはヘッドマウントディスプレイを提供することができる。
【０１１０】《半導体膜５０８の構成例２．》
例えば、金属酸化物を半導体膜５０８に用いることができる。これにより、アモルファスシリコンを半導体膜に用いたトランジスタを利用する画素回路と比較して、画素回路が画像信号を保持することができる時間を長くすることができる。具体的には、フリッカーの発生を抑制しながら、選択信号を３０Ｈｚ未満、好ましくは１Ｈｚ未満、より好ましくは一分に一回未満の頻度で供給することができる。その結果、情報処理装置の使用者に蓄積する疲労を低減することができる。また、駆動に伴う消費電力を低減することができる。
【０１１１】例えば、酸化物半導体を用いるトランジスタを利用することができる。具体的には、インジウムを含む酸化物半導体またはインジウムとガリウムと亜鉛を含む酸化物半導体を半導体膜に用いることができる。
【０１１２】一例を挙げれば、オフ状態におけるリーク電流が、半導体膜にアモルファスシリコンを用いたトランジスタより小さいトランジスタを用いることができる。具体的には、酸化物半導体を半導体膜に用いたトランジスタを用いることができる。
【０１１３】例えば、インジウム、ガリウムおよび亜鉛を含む厚さ２５ｎｍの膜を、半導体膜５０８に用いることができる。
【０１１４】例えば、タンタルおよび窒素を含む厚さ１０ｎｍの膜と、銅を含む厚さ３００ｎｍの膜と、を積層した導電膜を導電膜５０４に用いることができる。なお、銅を含む膜は、絶縁膜５０６との間に、タンタルおよび窒素を含む膜を挟む領域を備える。
【０１１５】例えば、シリコンおよび窒素を含む厚さ４００ｎｍの膜と、シリコン、酸素および窒素を含む厚さ２００ｎｍの膜と、を積層した積層膜を、絶縁膜５０６に用いることができる。なお、シリコンおよび窒素を含む膜は、半導体膜５０８との間に、シリコン、酸素および窒素を含む膜を挟む領域を備える。
【０１１６】例えば、タングステンを含む厚さ５０ｎｍの膜と、アルミニウムを含む厚さ４００ｎｍの膜と、チタンを含む厚さ１００ｎｍの膜と、をこの順で積層した導電膜を、導電膜５１２Ａまたは導電膜５１２Ｂに用いることができる。なお、タングステンを含む膜は、半導体膜５０８と接する領域を備える。
【０１１７】ところで、例えば、アモルファスシリコンを半導体に用いるボトムゲート型のトランジスタの製造ラインは、酸化物半導体を半導体に用いるボトムゲート型のトランジスタの製造ラインに容易に改造できる。また、例えばポリシリコンを半導体に用いるトップゲート型のトランジスタの製造ラインは、酸化物半導体を半導体に用いるトップゲート型のトランジスタの製造ラインに容易に改造できる。いずれの改造も、既存の製造ラインを有効に活用することができる。
【０１１８】これにより、チラツキを抑制することができる。または、消費電力を低減することができる。または、動きの速い動画を滑らかに表示することができる。または、豊かな階調で写真等を表示することができる。その結果、利便性または信頼性に優れた新規な表示パネルを提供することができる。
【０１１９】《半導体膜５０８の構成例３．》
例えば、化合物半導体をトランジスタの半導体に用いることができる。具体的には、ガリウムヒ素を含む半導体を用いることができる。
【０１２０】例えば、有機半導体をトランジスタの半導体に用いることができる。具体的には、ポリアセン類またはグラフェンを含む有機半導体を半導体膜に用いることができる。
【０１２１】《機能層５２０Ｂの構成例１．》
機能層５２０Ｂは、機能層５２０Ａと重なる領域を備える（図１（Ｂ）参照）。また、機能層５２０Ｂは、駆動回路ＧＤおよび配線Ｇ２（ｉ）を含む（図４（Ａ）参照）。例えば、絶縁膜５２１Ｂを機能層５２０Ｂに用いることができる。例えば、後述する絶縁膜５２１に用いることができる材料を絶縁膜５２１Ｂに用いることができる。
【０１２２】《駆動回路ＧＤの構成例１．》
駆動回路ＧＤは、表示素子５５０（ｉ，ｊ）との間に画素回路５３０（ｉ，ｊ）を挟むように設けられる（図１（Ｂ）参照）。
【０１２３】駆動回路ＧＤは、選択信号を供給する。例えば、駆動回路ＧＤは、選択信号を配線Ｇ２（ｉ）に供給し、接続部５９１Ｃ（ｉ，ｙ）を介して走査線Ｇ１（ｉ）に供給することができる。
【０１２４】例えば、トランジスタＭＤを駆動回路ＧＤに用いることができる（図４（Ｂ）参照）。また、トランジスタＭに用いることができる構成をトランジスタＭＤに用いることができる。
【０１２５】《走査線Ｇ１（ｉ）の構成例１．》
走査線Ｇ１（ｉ）は、駆動回路ＧＤおよび一群の画素回路５３０（ｉ，１）乃至画素回路５３０（ｉ，ｎ）の間に挟まれる領域を備える（図３（Ａ）および図４（Ａ）参照）。これにより、走査線Ｇ１（ｉ）は、例えば、駆動回路ＧＤが発するノイズを遮断することができる。または、画素回路５３０（ｉ，ｊ）が発するノイズを遮断することができる。または、ノイズによる画素回路５３０（ｉ，ｊ）の誤動作を防ぐことができる。または、ノイズによる駆動回路ＧＤの誤動作を防ぐことができる。または、ノイズによって引き起こされる画質の劣化を防ぐことができる。
【０１２６】《配線Ｇ２（ｉ）の構成例１．》
配線Ｇ２（ｉ）は、接続部５９１Ｃ（ｉ，ｙ）において、走査線Ｇ１（ｉ）と電気的に接続される。また、配線Ｇ２（ｉ）は駆動回路ＧＤと電気的に接続される。例えば、絶縁膜５２１Ｂ、絶縁膜５１８および絶縁膜５１６に形成された開口部を、接続部５９１Ｃ（ｉ，ｙ）に用いることができる（図４（Ａ）および図４（Ｂ）参照）。
【０１２７】これにより、駆動回路ＧＤの配置に係る自由度を高めることができる。例えば、表示領域２３１に重ねて駆動回路ＧＤを配置することができる。または、駆動回路ＧＤの外形を表示パネル７００の外形に沿わせる必要がなくなる。または、表示パネル７００の外形に係る自由度を高めることができる。例えば、曲線を表示領域２３１の輪郭に用いることができる。または、表示パネル７００の外形を小さくすることができる。または、周縁部分を切除して表示パネルの外形を所定の形に整えることができる。その結果、利便性または信頼性に優れた新規な表示パネルを提供することができる。
【０１２８】《配線Ｇ２（ｉ）の構成例２．》
例えば、電気抵抗が走査線Ｇ１（ｉ）より低い導電膜を、配線Ｇ２（ｉ）に用いることができる。または、幅が走査線Ｇ１（ｉ）より狭い導電膜を、配線Ｇ２（ｉ）に用いることができる。
【０１２９】これにより、駆動回路ＧＤから画素回路５３０（ｉ，ｊ）までの間の電気抵抗を低減することができる。または、制御信号ＳＰの波形に生じる鈍りの程度を軽減することができる。または、フィードスルーの程度を軽減することができる。その結果、利便性または信頼性に優れた新規な表示パネルを提供することができる。
【０１３０】＜表示パネルの構成例２．＞
また、本実施の形態で説明する表示パネル７００は、端子５１９Ｃ（ｊ）を有する（図１（Ｂ）および図７（Ｂ）参照）。
【０１３１】《機能層５２０Ａの構成例２．》
機能層５２０Ａは、信号線Ｓ１（ｊ）、補助信号線Ｓ２（ｊ）および接続部５９１Ｄ（ｊ）を含む（図４（Ａ）参照）。
【０１３２】《信号線Ｓ１（ｊ）の構成例１．》
信号線Ｓ１（ｊ）は画素回路５３０（ｉ，ｊ）と電気的に接続される。また、信号線Ｓ１（ｊ）は、接続部５９１Ｄ（ｊ）において、補助信号線Ｓ２（ｊ）と電気的に接続される（図４（Ｂ）参照）。
【０１３３】《補助信号線Ｓ２（ｊ）の構成例１．》
補助信号線Ｓ２（ｊ）は他の信号線Ｓ１（ｊ＋１）と交差する領域を備え、補助信号線Ｓ２（ｊ）は端子５１９Ｃ（ｊ）と電気的に接続される（図３（Ｂ）および図７（Ｂ）参照）。例えば、補助信号線Ｓ２（ｊ）は、信号線Ｓ１（ｊ＋１）と交差する。
【０１３４】また、信号線Ｓ１（ｊ）の端部ではなく、信号線Ｓ１（ｊ）の途中に設けられた接続部５９１Ｄ（ｊ）において、信号線Ｓ１（ｊ）を補助信号線Ｓ２（ｊ）と電気的に接続するため、他の一群の画素回路５３０（１，ｊ）乃至画素回路５３０（ｍ，ｊ）から選ばれた一の画素回路５３０（ｉ，ｊ）と端子５１９Ｃ（ｊ）の間の電気抵抗を、平均化することができる。
【０１３５】これにより、端子５１９Ｃ（ｊ）の配置に係る自由度を高めることができる。または、表示パネル７００の外形に係る自由度を高めることができる。または、表示パネル７００の外形を小さくすることができる。または、端子５１９Ｃ（ｊ）から供給される情報Ｖ１１の波形に生じる鈍りの程度を、画素回路５３０（ｉ，ｊ）において、平均化することができる。その結果、利便性または信頼性に優れた新規な表示パネルを提供することができる。
【０１３６】＜表示パネルの構成例３．＞
また、本実施の形態で説明する表示パネル７００は、表示領域２３１が、走査線Ｇ１（ｉ）および走査線Ｇ１（ｐ）を含む（図２（Ａ）参照）。走査線Ｇ１（ｐ）は、走査線Ｇ１（ｉ）より少ない画素と電気的に接続される。
【０１３７】例えば、走査線Ｇ１（ｉ＋２０）は、走査線Ｇ１（ｉ）より少ない画素と電気的に接続される（図７（Ａ）参照）。具体的には、走査線Ｇ１（ｉ＋２０）に電気的に接続される画素の数は、走査線Ｇ１（ｉ）に電気的に接続される画素の数より、６個少ない。
【０１３８】＜表示パネルの構成例４．＞
また、本実施の形態で説明する表示パネル７００は、表示領域２３１が、信号線Ｓ１（ｊ）および信号線Ｓ１（ｑ）を含む（図２（Ａ）参照）。信号線Ｓ１（ｑ）は、信号線Ｓ１（ｊ）より少ない画素と電気的に接続される。
【０１３９】例えば、信号線Ｓ１（ｉ−１０）は、信号線Ｓ１（ｉ）より少ない画素と電気的に接続される（図７（Ｂ）参照）。具体的には、信号線Ｓ１（ｉ−１０）に電気的に接続される画素の数は、信号線Ｓ１（ｉ）に電気的に接続される画素の数より、３個少ない。
【０１４０】これにより、表示パネル７００の外形に係る自由度を高めることができる。例えば、表示領域２３１の輪郭に曲線を用いることができる。または、曲線を用いる表示領域に表示パネルの外形を沿わせることができる。または、例えば、曲線に沿って画素を配置することができる。その結果、利便性または信頼性に優れた新規な表示パネルを提供することができる。
【０１４１】＜表示パネルの構成例５．＞
また、本実施の形態で説明する表示パネル７００は、表示領域２３１が、一群の画素７０２（ｉ，１）乃至画素７０２（ｉ，ｎ）および他の一群の画素７０２（１，ｊ）乃至画素７０２（ｍ，ｊ）を備える（図１０（Ａ）および図１０（Ｂ）参照）。
【０１４２】また、図示しないが、表示領域２３１は、導電膜ＶＣＯＭ２と、導電膜ＡＮＯとを有する。
【０１４３】《一群の画素の構成例１．》
一群の画素７０２（ｉ，１）乃至画素７０２（ｉ，ｎ）は、画素７０２（ｉ，ｊ）を含み、一群の画素７０２（ｉ，１）乃至画素７０２（ｉ，ｎ）は、行方向（図中に矢印Ｒ１で示す方向）に配設される。また、一群の画素７０２（ｉ，１）乃至画素７０２（ｉ，ｎ）は、走査線Ｇ１（ｉ）と電気的に接続される。
【０１４４】他の一群の画素７０２（１，ｊ）乃至画素７０２（ｍ，ｊ）は、画素７０２（ｉ，ｊ）を含み、他の一群の画素７０２（１，ｊ）乃至画素７０２（ｍ，ｊ）は、行方向と交差する列方向（図中に矢印Ｃ１で示す方向）に配設される。また、他の一群の画素７０２（１，ｊ）乃至画素７０２（ｍ，ｊ）は、信号線Ｓ１（ｊ）と電気的に接続される。
【０１４５】これにより、複数の画素に画像情報を供給することができる。その結果、利便性または信頼性に優れた新規な表示パネルを提供することができる。
【０１４６】＜表示パネルの構成例６．＞
また、本実施の形態で説明する表示パネル７００は、一群の接続部５９１Ｃ（ｉ，１）乃至一群の接続部５９１Ｃ（ｉ，ｈ）を有する（図７（Ａ）参照）。なお、ｈは１以上の自然数であり、１より大きくｎより小さい自然数が好ましい。例えば、接続部の数が１より多ければ、接続不良が発生する確率を低減することができ、ｎより小さければ、隣接する他の行の接続部と短絡する確率を低減することができる。具体的には、接続部５９１Ｃ（ｉ，ｙ）は、接続部５９１Ｃ（ｉ−１，ｙ）または接続部５９１Ｃ（ｉ＋１，ｙ）と短絡し難くなる。
【０１４７】また、走査線Ｇ１（ｉ）の端部ではなく、走査線Ｇ１（ｉ）の途中に設けられた接続部５９１Ｃ（ｉ，ｙ）において、走査線Ｇ１（ｉ）を配線Ｇ２（ｉ）と電気的に接続するため、一群の画素回路５３０（ｉ，１）乃至画素回路５３０（ｉ，ｎ）から選ばれた一の画素回路５３０（ｉ，ｊ）と駆動回路ＧＤの間の電気抵抗を、平均化することができる。
【０１４８】または、一群の接続部５９１Ｃ（ｉ，１）乃至一群の接続部５９１Ｃ（ｉ，ｈ）において、走査線Ｇ１（ｉ）を配線Ｇ２（ｉ）と電気的に接続するため、一群の画素回路５３０（ｉ，１）乃至画素回路５３０（ｉ，ｎ）から選ばれた一の画素回路５３０（ｉ，ｊ）と駆動回路ＧＤの間の電気抵抗を、平均化することができる。
【０１４９】これにより、制御信号ＳＰの波形に生じる鈍りの程度を平均化することができる。または、フィードスルーの程度を平均化することができる。または、表示ムラを軽減することができる。その結果、利便性または信頼性に優れた新規な表示パネルを提供することができる。
【０１５０】《一群の接続部５９１Ｃ（ｉ，１）乃至一群の接続部５９１Ｃ（ｉ，ｈ）の構成例１．》
一群の接続部５９１Ｃ（ｉ，１）乃至一群の接続部５９１Ｃ（ｉ，ｈ）は接続部５９１Ｃ（ｉ，ｙ）を含み、走査線Ｇ１（ｉ）は、一群の接続部５９１Ｃ（ｉ、１）乃至一群の接続部５９１Ｃ（ｉ，ｈ）において、配線Ｇ２（ｉ）と電気的に接続される（図７（Ａ）参照）。
【０１５１】これにより、走査線Ｇ１（ｉ）を配線Ｇ２（ｉ）と電気的に接続することができる。または、接続不良が発生する確率を低減することができる。その結果、利便性または信頼性に優れた新規な表示パネルを提供することができる。
【０１５２】《接続部５９１Ｃ（ｉ，ｙ）の構成例２．》
また、本実施の形態で説明する表示パネル７００は、接続部５９１Ｃ（ｉ，ｙ）が導電部材ＣＰを含む（図８および図９参照）。
【０１５３】《導電部材ＣＰの構成例１．》
導電部材ＣＰは、走査線Ｇ１（ｉ）および配線Ｇ２（ｉ）を電気的に接続する機能を備える。
【０１５４】例えば、導電性を備える粒子を導電部材ＣＰに用いることができる。
【０１５５】例えば、１μｍ以上２００μｍ以下好ましくは３μｍ以上１５０μｍ以下の大きさの球状、柱状または糸くず状等の形状を備える粒子を粒子ＣＰに用いることができる。または、例えば、ニッケルまたは金等を含む導電性の材料で被覆された粒子を用いることができる。具体的には、ポリスチレン、アクリル樹脂または酸化チタン等を含む粒子を用いることができる。具体的には、絶縁性の材料５２１Ｃに導電部材ＣＰを分散して用いることができる。例えば、合成ゴム、熱硬化性樹脂、熱可塑性樹脂、接着剤等を、絶縁性の材料５２１Ｃに用いることができる。
【０１５６】例えば、凸状の構造体ＫＢを接続部５９１Ｃ（ｉ，ｙ）に用いることができる。または、構造体ＫＢ上に形成された導電部材ＣＰを用いることができる。
【０１５７】これにより、走査線Ｇ１（ｉ）を配線Ｇ２（ｉ）と電気的に接続することができる。または、接続不良が発生する確率を低減することができる。その結果、利便性または信頼性に優れた新規な表示パネルを提供することができる。
【０１５８】＜表示パネルの構成例６．＞
また、表示パネル７００は、基材５１０、基材７７０および絶縁膜５０１Ｃを備える（図４（Ａ）参照）。
【０１５９】絶縁膜５０１Ｃは、基材７７０および基材５１０の間に挟まれる領域を備え、絶縁膜５０１Ｃは、機能層５２０Ａおよび基材５１０の間に挟まれる領域を備える。
【０１６０】《機能層５２０Ａの構成例３．》
機能層５２０Ａは、絶縁膜５２１、絶縁膜５１８、絶縁膜５１６、絶縁膜５０６および絶縁膜５０１Ｃ等を備える。
【０１６１】［絶縁膜５２１］
絶縁膜５２１は、画素回路５３０（ｉ，ｊ）および表示素子５５０（ｉ，ｊ）の間に挟まれる領域を備える（図５参照）。
【０１６２】例えば、絶縁性の無機材料、絶縁性の有機材料または無機材料と有機材料を含む絶縁性の複合材料を、絶縁膜５２１に用いることができる。
【０１６３】具体的には、無機酸化物膜、無機窒化物膜または無機酸化窒化物膜等またはこれらから選ばれた複数を積層した積層材料を、絶縁膜５２１に用いることができる。
【０１６４】例えば、酸化シリコン膜、窒化シリコン膜、酸化窒化シリコン膜、酸化アルミニウム膜等またはこれらから選ばれた複数を積層した積層材料を含む膜を、絶縁膜５２１に用いることができる。なお、窒化シリコン膜は緻密な膜であり、不純物の拡散を抑制する機能に優れる。
【０１６５】例えば、ポリエステル、ポリオレフィン、ポリアミド、ポリイミド、ポリカーボネート、ポリシロキサン若しくはアクリル樹脂等またはこれらから選択された複数の樹脂の積層材料もしくは複合材料などを絶縁膜５２１に用いることができる。また、感光性を有する材料を用いて形成してもよい。これにより、絶縁膜５２１は、例えば、絶縁膜５２１と重なるさまざまな構造に由来する段差を平坦化することができる。
【０１６６】なお、ポリイミドは熱的安定性、絶縁性、靱性、低誘電率、低熱膨張率、耐薬品性などの特性において他の有機材料に比べて優れた特性を備える。これにより、特にポリイミドを絶縁膜５２１等に好適に用いることができる。
【０１６７】例えば、感光性を有する材料を用いて形成された膜を絶縁膜５２１に用いることができる。具体的には、感光性のポリイミドまたは感光性のアクリル樹脂等を用いて形成された膜を絶縁膜５２１に用いることができる。
【０１６８】例えば、透光性を有する材料を絶縁膜５２１に用いることができる。具体的には、窒化シリコンを絶縁膜５２１に用いることができる。
【０１６９】［絶縁膜５１８］
絶縁膜５１８は、画素回路５３０（ｉ，ｊ）および絶縁膜５２１の間に挟まれる領域を備える（図４（Ｂ）参照）。なお、積層膜を絶縁膜５１８に用いることができる。
【０１７０】例えば、絶縁膜５２１に用いることができる材料を絶縁膜５１８に用いることができる。
【０１７１】例えば、酸素、水素、水、アルカリ金属、アルカリ土類金属等の拡散を抑制する機能を備える材料を絶縁膜５１８に用いることができる。具体的には、窒化物絶縁膜を絶縁膜５１８に用いることができる。例えば、窒化シリコン、窒化酸化シリコン、窒化アルミニウム、窒化酸化アルミニウム等を絶縁膜５１８に用いることができる。これにより、トランジスタの半導体膜への不純物の拡散を抑制することができる。
【０１７２】［絶縁膜５１６］
絶縁膜５１６は、画素回路５３０（ｉ，ｊ）および絶縁膜５１８の間に挟まれる領域を備える（図４（Ｂ）参照）。なお、積層膜を絶縁膜５１６に用いることができる。
【０１７３】例えば、絶縁膜５２１に用いることができる材料を絶縁膜５１６に用いることができる。具体的には、絶縁膜５１８とは作製方法が異なる膜を絶縁膜５１６に用いることができる。
【０１７４】［絶縁膜５０６］
絶縁膜５０６は、半導体膜５０８および導電膜５０４の間に挟まれる領域を備える（図４（Ｂ）参照）。
【０１７５】例えば、絶縁膜５２１に用いることができる材料を絶縁膜５０６に用いることができる。具体的には、酸化シリコン膜、酸化窒化シリコン膜、窒化酸化シリコン膜、窒化シリコン膜、酸化アルミニウム膜、酸化ハフニウム膜、酸化イットリウム膜、酸化ジルコニウム膜、酸化ガリウム膜、酸化タンタル膜、酸化マグネシウム膜、酸化ランタン膜、酸化セリウム膜または酸化ネオジム膜を含む膜を絶縁膜５０６に用いることができる。
【０１７６】［絶縁膜５０１Ｃ］
絶縁膜５０１Ｃは、画素回路５３０（ｉ，ｊ）および基材５１０の間に挟まれる領域を備える（図４（Ａ）参照）。
【０１７７】例えば、絶縁膜５２１に用いることができる材料を絶縁膜５０１Ｃに用いることができる。具体的には、シリコンおよび酸素を含む材料を絶縁膜５０１Ｃに用いることができる。これにより、画素回路または表示素子等への不純物の拡散を抑制することができる。
【０１７８】［絶縁膜５２８］
絶縁膜５２８は、絶縁膜５２１および基材７７０の間に挟まれる領域を備え、表示素子５５０（ｉ，ｊ）と重なる領域に開口部を備える（図５参照）。電極５５１（ｉ，ｊ）の周縁に沿って形成される絶縁膜５２８は、電極５５１（ｉ，ｊ）および電極５５２の短絡を防止する。
【０１７９】例えば、絶縁膜５２１に用いることができる材料を絶縁膜５２８に用いることができる。具体的には、酸化珪素膜、アクリル樹脂を含む膜またはポリイミドを含む膜を絶縁膜５２８に用いることができる。
【０１８０】《封止材７０５》
封止材７０５は、機能層５２０Ａおよび基材７７０の間に挟まれる領域を備え、機能層５２０Ａおよび基材７７０を貼り合わせる機能を備える。
【０１８１】無機材料、有機材料または無機材料と有機材料の複合材料等を封止材７０５に用いることができる。
【０１８２】例えば、熱溶融性の樹脂または硬化性の樹脂等の有機材料を、封止材７０５に用いることができる。
【０１８３】例えば、反応硬化型接着剤、光硬化型接着剤、熱硬化型接着剤または／および嫌気型接着剤等の有機材料を封止材７０５に用いることができる。
【０１８４】具体的には、エポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等を含む接着剤を封止材７０５に用いることができる。
【０１８５】《機能層７２０》
機能層７２０は、着色膜ＣＦ、絶縁膜７７１および遮光膜ＢＭを備える。
【０１８６】着色膜ＣＦは、基材７７０および表示素子５５０（ｉ，ｊ）の間に挟まれる領域を備える。
【０１８７】遮光膜ＢＭは、画素７０２（ｉ，ｊ）と重なる領域に開口部を備える。
【０１８８】《機能膜７７０Ｐ等》
機能膜７７０Ｐは、表示素子５５０（ｉ，ｊ）と重なる領域を備える。
【０１８９】例えば、反射防止フィルム、偏光フィルム、位相差フィルム、光拡散フィルムまたは集光フィルム等を機能膜７７０Ｐに用いることができる。
【０１９０】具体的には、円偏光フィルムを機能膜７７０Ｐに用いることができる。
【０１９１】また、ゴミの付着を抑制する帯電防止膜、汚れを付着しにくくする撥水性の膜、反射防止膜（アンチ・リフレクション膜）、非光沢処理膜（アンチ・グレア膜）、使用に伴う傷の発生を抑制するハードコート膜などを、機能膜７７０Ｐに用いることができる。
【０１９２】なお、本実施の形態は、本明細書で示す他の実施の形態と適宜組み合わせることができる。
【０１９３】（実施の形態２）
本実施の形態では、本発明の一態様で開示されるトランジスタの半導体膜に用いることができる金属酸化物について説明する。なお、トランジスタの半導体膜に金属酸化物を用いる場合、当該金属酸化物を酸化物半導体と読み替えてもよい。
【０１９４】酸化物半導体は、単結晶酸化物半導体と、非単結晶酸化物半導体と、に分けられる。非単結晶酸化物半導体としては、ＣＡＡＣ−ＯＳ（ｃ−ａｘｉｓ−ａｌｉｇｎｅｄ  ｃｒｙｓｔａｌｌｉｎｅ  ｏｘｉｄｅ  ｓｅｍｉｃｏｎｄｕｃｔｏｒ）、多結晶酸化物半導体、ｎｃ−ＯＳ（ｎａｎｏｃｒｙｓｔａｌｌｉｎｅ  ｏｘｉｄｅ  ｓｅｍｉｃｏｎｄｕｃｔｏｒ）、擬似非晶質酸化物半導体（ａ−ｌｉｋｅ  ＯＳ：ａｍｏｒｐｈｏｕｓ−ｌｉｋｅ  ｏｘｉｄｅ  ｓｅｍｉｃｏｎｄｕｃｔｏｒ）、及び非晶質酸化物半導体などがある。
【０１９５】また、非単結晶酸化物半導体の１つとして、半結晶性酸化物半導体（Ｓｅｍｉ−ｃｒｙｓｔａｌｌｉｎｅ  ｏｘｉｄｅ  ｓｅｍｉｃｏｎｄｕｃｔｏｒ）と呼称される酸化物半導体が挙げられる。半結晶性酸化物半導体とは、単結晶酸化物半導体と非晶質酸化物半導体との中間構造を有する。半結晶性酸化物半導体は、非晶質酸化物半導体と比較して構造が安定である。例えば、半結晶性酸化物半導体としては、ＣＡＡＣ構造を有し、かつＣＡＣ（Ｃｌｏｕｄ−Ａｌｉｇｎｅｄ  Ｃｏｍｐｏｓｉｔｅ）構成である酸化物半導体がある。ＣＡＣの詳細については、以下で説明を行う。
【０１９６】また、本発明の一態様で開示されるトランジスタの半導体膜には、ＣＡＣ−ＯＳ（Ｃｌｏｕｄ−Ａｌｉｇｎｅｄ  Ｃｏｍｐｏｓｉｔｅ  ｏｘｉｄｅ  ｓｅｍｉｃｏｎｄｕｃｔｏｒ）を用いてもよい。
【０１９７】なお、本発明の一態様で開示されるトランジスタの半導体膜は、上述した非単結晶酸化物半導体またはＣＡＣ−ＯＳを好適に用いることができる。また、非単結晶酸化物半導体としては、ｎｃ−ＯＳまたはＣＡＡＣ−ＯＳを好適に用いることができる。
【０１９８】なお、本発明の一態様では、トランジスタの半導体膜として、ＣＡＣ−ＯＳを用いると好ましい。ＣＡＣ−ＯＳを用いることで、トランジスタに高い電気特性または高い信頼性を付与することができる。
【０１９９】以下では、ＣＡＣ−ＯＳの詳細について説明する。
【０２００】ＣＡＣ−ＯＳまたはＣＡＣ−ｍｅｔａｌ  ｏｘｉｄｅは、材料の一部では導電性の機能と、材料の一部では絶縁性の機能とを有し、材料の全体では半導体としての機能を有する。なお、ＣＡＣ−ＯＳまたはＣＡＣ−ｍｅｔａｌ  ｏｘｉｄｅを、トランジスタのチャネル形成領域に用いる場合、導電性の機能は、キャリアとなる電子（またはホール）を流す機能であり、絶縁性の機能は、キャリアとなる電子を流さない機能である。導電性の機能と、絶縁性の機能とを、それぞれ相補的に作用させることで、スイッチングさせる機能（Ｏｎ／Ｏｆｆさせる機能）をＣＡＣ−ＯＳまたはＣＡＣ−ｍｅｔａｌ  ｏｘｉｄｅに付与することができる。ＣＡＣ−ＯＳまたはＣＡＣ−ｍｅｔａｌ  ｏｘｉｄｅにおいて、それぞれの機能を分離させることで、双方の機能を最大限に高めることができる。
【０２０１】また、ＣＡＣ−ＯＳまたはＣＡＣ−ｍｅｔａｌ  ｏｘｉｄｅは、導電性領域、及び絶縁性領域を有する。導電性領域は、上述の導電性の機能を有し、絶縁性領域は、上述の絶縁性の機能を有する。また、材料中において、導電性領域と、絶縁性領域とは、ナノ粒子レベルで分離している場合がある。また、導電性領域と、絶縁性領域とは、それぞれ材料中に偏在する場合がある。また、導電性領域は、周辺がぼけてクラウド状に連結して観察される場合がある。
【０２０２】また、ＣＡＣ−ＯＳまたはＣＡＣ−ｍｅｔａｌ  ｏｘｉｄｅにおいて、導電性領域と、絶縁性領域とは、それぞれ０．５ｎｍ以上１０ｎｍ以下、好ましくは０．５ｎｍ以上３ｎｍ以下のサイズで材料中に分散している場合がある。
【０２０３】また、ＣＡＣ−ＯＳまたはＣＡＣ−ｍｅｔａｌ  ｏｘｉｄｅは、異なるバンドギャップを有する成分により構成される。例えば、ＣＡＣ−ＯＳまたはＣＡＣ−ｍｅｔａｌ  ｏｘｉｄｅは、絶縁性領域に起因するワイドギャップを有する成分と、導電性領域に起因するナローギャップを有する成分と、により構成される。当該構成の場合、キャリアを流す際に、ナローギャップを有する成分において、主にキャリアが流れる。また、ナローギャップを有する成分が、ワイドギャップを有する成分に相補的に作用し、ナローギャップを有する成分に連動してワイドギャップを有する成分にもキャリアが流れる。このため、上記ＣＡＣ−ＯＳまたはＣＡＣ−ｍｅｔａｌ  ｏｘｉｄｅをトランジスタのチャネル形成領域に用いる場合、トランジスタのオン状態において高い電流駆動力、つまり大きなオン電流、及び高い電界効果移動度を得ることができる。
【０２０４】すなわち、ＣＡＣ−ＯＳまたはＣＡＣ−ｍｅｔａｌ  ｏｘｉｄｅは、マトリックス複合材（ｍａｔｒｉｘ  ｃｏｍｐｏｓｉｔｅ）または金属マトリックス複合材（ｍｅｔａｌ  ｍａｔｒｉｘ  ｃｏｍｐｏｓｉｔｅ）と呼称することもできる。
【０２０５】ＣＡＣ−ＯＳは、例えば、金属酸化物を構成する元素が、０．５ｎｍ以上１０ｎｍ以下、好ましくは、１ｎｍ以上２ｎｍ以下またはその近傍のサイズで偏在した材料の一構成である。なお、以下では、金属酸化物において、一つあるいはそれ以上の金属元素が偏在し、該金属元素を有する領域が、０．５ｎｍ以上１０ｎｍ以下、好ましくは、１ｎｍ以上２ｎｍ以下またはその近傍のサイズで混合した状態をモザイク状またはパッチ状ともいう。
【０２０６】なお、金属酸化物は、少なくともインジウムを含むことが好ましい。特にインジウム及び亜鉛を含むことが好ましい。また、それらに加えて、アルミニウム、ガリウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種または複数種が含まれていてもよい。
【０２０７】例えば、Ｉｎ−Ｇａ−Ｚｎ酸化物におけるＣＡＣ−ＯＳ（ＣＡＣ−ＯＳの中でもＩｎ−Ｇａ−Ｚｎ酸化物を、特にＣＡＣ−ＩＧＺＯと呼称してもよい。）とは、インジウム酸化物（以下、ＩｎＯＸ１（Ｘ１は０よりも大きい実数）とする。）、またはインジウム亜鉛酸化物（以下、ＩｎＸ２ＺｎＹ２ＯＺ２（Ｘ２、Ｙ２、及びＺ２は０よりも大きい実数）とする。）と、ガリウム酸化物（以下、ＧａＯＸ３（Ｘ３は０よりも大きい実数）とする。）、またはガリウム亜鉛酸化物（以下、ＧａＸ４ＺｎＹ４ＯＺ４（Ｘ４、Ｙ４、及びＺ４は０よりも大きい実数）とする。）などと、に材料が分離することでモザイク状となり、モザイク状のＩｎＯＸ１、またはＩｎＸ２ＺｎＹ２ＯＺ２が、膜中に均一に分布した構成（以下、クラウド状ともいう。）である。
【０２０８】つまり、ＣＡＣ−ＯＳは、ＧａＯＸ３が主成分である領域と、ＩｎＸ２ＺｎＹ２ＯＺ２、またはＩｎＯＸ１が主成分である領域とが、混合している構成を有する複合金属酸化物である。なお、本明細書において、例えば、第１の領域の元素Ｍに対するＩｎの原子数比が、第２の領域の元素Ｍに対するＩｎの原子数比よりも大きいことを、第１の領域は、第２の領域と比較して、Ｉｎの濃度が高いとする。
【０２０９】なお、ＩＧＺＯは通称であり、Ｉｎ、Ｇａ、Ｚｎ、及びＯによる１つの化合物をいう場合がある。代表例として、ＩｎＧａＯ３（ＺｎＯ）ｍ１（ｍ１は自然数）、またはＩｎ（１＋ｘ０）Ｇａ（１−ｘ０）Ｏ３（ＺｎＯ）ｍ０（−１≦ｘ０≦１、ｍ０は任意数）で表される結晶性の化合物が挙げられる。
【０２１０】上記結晶性の化合物は、単結晶構造、多結晶構造、またはＣＡＡＣ（ｃ−ａｘｉｓ  ａｌｉｇｎｅｄ  ｃｒｙｓｔａｌ）構造を有する。なお、ＣＡＡＣ構造とは、複数のＩＧＺＯのナノ結晶がｃ軸配向を有し、かつａ−ｂ面においては配向せずに連結した結晶構造である。
【０２１１】一方、ＣＡＣ−ＯＳは、金属酸化物の材料構成に関する。ＣＡＣ−ＯＳとは、Ｉｎ、Ｇａ、Ｚｎ、及びＯを含む材料構成において、一部にＧａを主成分とするナノ粒子状に観察される領域と、一部にＩｎを主成分とするナノ粒子状に観察される領域とが、それぞれモザイク状にランダムに分散している構成をいう。従って、ＣＡＣ−ＯＳにおいて、結晶構造は副次的な要素である。
【０２１２】なお、ＣＡＣ−ＯＳは、組成の異なる二種類以上の膜の積層構造は含まないものとする。例えば、Ｉｎを主成分とする膜と、Ｇａを主成分とする膜との２層からなる構造は、含まない。
【０２１３】なお、ＧａＯＸ３が主成分である領域と、ＩｎＸ２ＺｎＹ２ＯＺ２、またはＩｎＯＸ１が主成分である領域とは、明確な境界が観察できない場合がある。
【０２１４】なお、ガリウムの代わりに、アルミニウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれている場合、ＣＡＣ−ＯＳは、一部に該金属元素を主成分とするナノ粒子状に観察される領域と、一部にＩｎを主成分とするナノ粒子状に観察される領域とが、それぞれモザイク状にランダムに分散している構成をいう。
【０２１５】ＣＡＣ−ＯＳは、例えば基板を意図的に加熱しない条件で、スパッタリング法により形成することができる。また、ＣＡＣ−ＯＳをスパッタリング法で形成する場合、成膜ガスとして、不活性ガス（代表的にはアルゴン）、酸素ガス、及び窒素ガスの中から選ばれたいずれか一つまたは複数を用いればよい。また、成膜時の成膜ガスの総流量に対する酸素ガスの流量比は低いほど好ましく、例えば酸素ガスの流量比を０％以上３０％未満、好ましくは０％以上１０％以下とすることが好ましい。
【０２１６】ＣＡＣ−ＯＳは、Ｘ線回折（ＸＲＤ：Ｘ−ｒａｙ  ｄｉｆｆｒａｃｔｉｏｎ）測定法のひとつであるＯｕｔ−ｏｆ−ｐｌａｎｅ法によるθ／２θスキャンを用いて測定したときに、明確なピークが観察されないという特徴を有する。すなわち、Ｘ線回折による解析結果から、測定領域のａ−ｂ面方向、及びｃ軸方向の配向は見られないことが分かる。
【０２１７】またＣＡＣ−ＯＳは、プローブ径が１ｎｍの電子線（ナノビーム電子線ともいう。）を照射することで得られる電子線回折パターンにおいて、リング状に輝度の高い領域（リング領域）と、該リング領域に複数の輝点が観測される。従って、電子線回折パターンから、ＣＡＣ−ＯＳの結晶構造が、平面方向、及び断面方向において、配向性を有さないｎｃ（ｎａｎｏ−ｃｒｙｓｔａｌ）構造を有することがわかる。
【０２１８】また例えば、Ｉｎ−Ｇａ−Ｚｎ酸化物におけるＣＡＣ−ＯＳでは、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用いて取得したＥＤＸマッピングにより、ＧａＯＸ３が主成分である領域と、ＩｎＸ２ＺｎＹ２ＯＺ２、またはＩｎＯＸ１が主成分である領域とが、偏在し、混合している構造を有することが確認できる。
【０２１９】ＣＡＣ−ＯＳは、金属元素が均一に分布したＩＧＺＯ化合物とは異なる構造であり、ＩＧＺＯ化合物と異なる性質を有する。つまり、ＣＡＣ−ＯＳは、ＧａＯＸ３などが主成分である領域と、ＩｎＸ２ＺｎＹ２ＯＺ２、またはＩｎＯＸ１が主成分である領域と、に互いに相分離し、各元素を主成分とする領域がモザイク状である構造を有する。
【０２２０】ここで、ＩｎＸ２ＺｎＹ２ＯＺ２、またはＩｎＯＸ１が主成分である領域は、ＧａＯＸ３などが主成分である領域と比較して、導電性が高い領域である。つまり、ＩｎＸ２ＺｎＹ２ＯＺ２、またはＩｎＯＸ１が主成分である領域を、キャリアが流れることにより、酸化物半導体としての導電性が発現する。従って、ＩｎＸ２ＺｎＹ２ＯＺ２、またはＩｎＯＸ１が主成分である領域が、酸化物半導体中にクラウド状に分布することで、高い電界効果移動度（μ）が実現できる。
【０２２１】一方、ＧａＯＸ３などが主成分である領域は、ＩｎＸ２ＺｎＹ２ＯＺ２、またはＩｎＯＸ１が主成分である領域と比較して、絶縁性が高い領域である。つまり、ＧａＯＸ３などが主成分である領域が、酸化物半導体中に分布することで、リーク電流を抑制し、良好なスイッチング動作を実現できる。
【０２２２】従って、ＣＡＣ−ＯＳを半導体素子に用いた場合、ＧａＯＸ３などに起因する絶縁性と、ＩｎＸ２ＺｎＹ２ＯＺ２、またはＩｎＯＸ１に起因する導電性とが、相補的に作用することにより、高いオン電流（Ｉｏｎ）、及び高い電界効果移動度（μ）を実現することができる。
【０２２３】また、ＣＡＣ−ＯＳを用いた半導体素子は、信頼性が高い。従って、ＣＡＣ−ＯＳは、表示パネルをはじめとするさまざまな半導体装置に最適である。
【０２２４】本実施の形態は、他の実施の形態と適宜組み合わせることができる。
【０２２５】（実施の形態３）
本実施の形態では、本発明の一態様の表示装置の構成について、図１１を参照しながら説明する。
【０２２６】図１１は本発明の一態様の表示装置の構成を説明する図である。図１１（Ａ）は本発明の一態様の表示装置のブロック図であり、図１１（Ｂ−１）乃至図１１（Ｂ−３）は本発明の一態様の表示装置の外観を説明する投影図である。
【０２２７】＜表示装置の構成例＞
本実施の形態で説明する表示装置は、制御部２３８と、表示パネル７００とを有する（図１１（Ａ）参照）。
【０２２８】《制御部２３８の構成例》
制御部２３８は、画像情報Ｖ１および制御情報ＣＩを供給される。例えば、クロック信号またはタイミング信号などを制御情報ＣＩに用いることができる。
【０２２９】制御部２３８は画像情報Ｖ１に基づいて情報Ｖ１１を生成し、制御情報ＣＩにもとづいて制御信号ＳＰを生成する。また、制御部２３８は情報Ｖ１１および制御信号ＳＰを供給する。例えば、情報Ｖ１１は、８ｂｉｔ以上好ましくは１２ｂｉｔ以上の階調を含む。また、例えば、駆動回路に用いるシフトレジスタのクロック信号またはスタートパルスなどを、制御信号ＳＰに用いることができる。
【０２３０】具体的には、制御部２３８は、制御回路２３３、伸張回路２３４および画像処理回路２３５を備える。
【０２３１】《制御回路２３３》
制御回路２３３は制御信号ＳＰを生成し、供給する機能を備える。
【０２３２】制御回路２３３は制御信号ＳＰを供給する機能を備える。例えば、クロック信号またはタイミング信号などを制御信号ＳＰに用いることができる。
【０２３３】例えば、タイミングコントローラを制御回路２３３に用いることができる。
【０２３４】《伸張回路２３４》
伸張回路２３４は、圧縮された状態で供給される画像情報Ｖ１を伸張する機能を備える。伸張回路２３４は、記憶部を備える。記憶部は、例えば伸張された画像情報を記憶する機能を備える。
【０２３５】《画像処理回路２３５》
画像処理回路２３５は、例えば、記憶領域を備える。記憶領域は、例えば、画像情報Ｖ１に含まれる情報を記憶する機能を備える。
【０２３６】画像処理回路２３５は、例えば、所定の特性曲線に基づいて画像情報Ｖ１を補正して情報Ｖ１１を生成する機能と、情報Ｖ１１を供給する機能を備える。
【０２３７】《表示パネルの構成例》
表示パネル７００は情報Ｖ１１および制御信号ＳＰを供給される。駆動回路は制御信号ＳＰに基づいて動作し、画素７０２（ｉ，ｊ）は、情報Ｖ１１に基づいて表示する。
【０２３８】例えば、実施の形態１において説明する表示パネルを用いることができる。
【０２３９】例えば、駆動回路ＳＤは、制御信号ＳＰおよび情報Ｖ１１を供給され、第１の信号および第２の信号を供給する。また、駆動回路ＧＤは、制御信号ＳＰを供給され第１の選択信号および第２の選択信号を供給する。
【０２４０】制御信号ＳＰを用いることにより、駆動回路ＳＤおよび駆動回路ＧＤの動作を同期することができる。
【０２４１】なお、制御回路２３３を表示パネルに含めることもできる。例えば、リジッド基板に実装された制御回路２３３を表示パネルに用いることができる。具体的には、リジッド基板に実装された制御回路２３３を、フレキシブルプリント基板を用いて駆動回路に電気的に接続することができる。
【０２４２】これにより、表示素子を用いて画像情報を表示することができる。その結果、利便性または信頼性に優れた新規な表示装置を提供することができる。または、例えば、テレビジョン受像システム（図１１（Ｂ−１）参照）、映像モニター（図１１（Ｂ−２）参照）またはノートブックコンピュータ（図１１（Ｂ−３）参照）などを提供することができる。
【０２４３】なお、本実施の形態は、本明細書で示す他の実施の形態と適宜組み合わせることができる。
【０２４４】（実施の形態４）
本実施の形態では、本発明の一態様の入出力装置の構成について、図１２を参照しながら説明する。
【０２４５】図１２は本発明の一態様の入出力装置の構成を説明するブロック図である。
【０２４６】＜入出力装置の構成例＞
本実施の形態で説明する入出力装置は、入力部２４０と、表示部２３０と、を有する（図１２参照）。
【０２４７】《表示部２３０》
例えば、実施の形態１に記載の表示パネル７００を表示部２３０に用いることができる。なお、入力部２４０および表示部２３０を有する構成のパネルを入出力パネル７００ＴＰということができる。
【０２４８】《入力部２４０の構成例１．》
入力部２４０は検知領域２４１を備える。入力部２４０は検知領域２４１に近接するものを検知する機能を備える。
【０２４９】検知領域２４１は、画素７０２（ｉ，ｊ）と重なる領域を備える。
【０２５０】これにより、表示部を用いて画像情報を表示しながら、表示部と重なる領域に近接するものを検知することができる。または、表示部に近接させる指などをポインタに用いて、位置情報を入力することができる。または、位置情報を表示部に表示する画像情報に関連付けることができる。その結果、利便性または信頼性に優れた新規な入出力装置を提供することができる。
【０２５１】《入力部２４０の構成例２．》
入力部２４０は発振回路ＯＳＣおよび検知回路ＤＣを備えることができる（図１２参照）。
【０２５２】《検知領域２４１》
検知領域２４１は、例えば、単数または複数の検知素子を備える。
【０２５３】検知領域２４１は、一群の検知素子７７５（ｇ，１）乃至検知素子７７５（ｇ，ｑ）と、他の一群の検知素子７７５（１，ｈ）乃至検知素子７７５（ｐ，ｈ）と、を有する。なお、ｇは１以上ｐ以下の整数であり、ｈは１以上ｑ以下の整数であり、ｐおよびｑは１以上の整数である。
【０２５４】一群の検知素子７７５（ｇ，１）乃至検知素子７７５（ｇ，ｑ）は、検知素子７７５（ｇ，ｈ）を含み、行方向（図中に矢印Ｒ２で示す方向）に配設される。なお、矢印Ｒ２で示す方向は、矢印Ｒ１で示す方向と同じであっても良いし、異なっていてもよい。
【０２５５】また、他の一群の検知素子７７５（１，ｈ）乃至検知素子７７５（ｐ，ｈ）は、検知素子７７５（ｇ，ｈ）を含み、行方向と交差する列方向（図中に矢印Ｃ２で示す方向）に配設される。
【０２５６】《検知素子》
検知素子は近接するポインタを検知する機能を備える。例えば、指やスタイラスペン等をポインタに用いることができる。例えば、金属片またはコイル等を、スタイラスペンに用いることができる。
【０２５７】具体的には、静電容量方式の近接センサ、電磁誘導方式の近接センサ、光学方式の近接センサ、抵抗膜方式の近接センサなどを、検知素子に用いることができる。
【０２５８】また、複数の方式の検知素子を併用することもできる。例えば、指を検知する検知素子と、スタイラスペンを検知する検知素子とを、併用することができる。
【０２５９】これにより、ポインタの種類を判別することができる。または、判別したポインタの種類に基づいて、異なる命令を検知情報に関連付けることができる。具体的には、ポインタに指を用いたと判別した場合は、検知情報をジェスチャーと関連付けることができる。または、ポインタにスタイラスペンを用いたと判別した場合は、検知情報を描画処理と関連付けることができる。
【０２６０】具体的には、静電容量方式または光学方式の近接センサを用いて、指を検知することができる。または、電磁誘導方式または光学方式の近接センサを用いて、スタイラスペンを検知することができる。
【０２６１】なお、本実施の形態は、本明細書で示す他の実施の形態と適宜組み合わせることができる。
【０２６２】（実施の形態５）
本実施の形態では、本発明の一態様の情報処理装置の構成について、図１３乃至図１５を参照しながら説明する。
【０２６３】図１３（Ａ）は本発明の一態様の情報処理装置の構成を説明するブロック図である。図１３（Ｂ）および図１３（Ｃ）は、情報処理装置の外観の一例を説明する投影図である。
【０２６４】図１４は、本発明の一態様のプログラムを説明するフローチャートである。図１４（Ａ）は、本発明の一態様のプログラムの主の処理を説明するフローチャートであり、図１４（Ｂ）は、割り込み処理を説明するフローチャートである。
【０２６５】図１５は、本発明の一態様のプログラムを説明する図である。図１５（Ａ）は、本発明の一態様のプログラムの割り込み処理を説明するフローチャートである。また、図１５（Ｂ）は、情報処理装置の操作を説明する模式図であり、図１５（Ｃ）は、本発明の一態様の情報処理装置の動作を説明するタイミングチャートである。
【０２６６】＜情報処理装置の構成例１．＞
本実施の形態で説明する情報処理装置は、演算装置２１０と、入出力装置２２０と、を有する（図１３（Ａ）参照）。なお、入出力装置は、演算装置２１０と電気的に接続される。また、情報処理装置２００は筐体を備えることができる（図１３（Ｂ）または図１３（Ｃ）参照）。
【０２６７】《演算装置２１０の構成例１．》
演算装置２１０は入力情報ＩＩまたは検知情報ＤＳを供給される。演算装置２１０は制御情報ＣＩおよび画像情報Ｖ１を供給する。
【０２６８】演算装置２１０は、演算部２１１および記憶部２１２を備える。また、演算装置２１０は、伝送路２１４および入出力インターフェース２１５を備える。
【０２６９】伝送路２１４は、演算部２１１、記憶部２１２、および入出力インターフェース２１５と電気的に接続される。
【０２７０】《演算部２１１》
演算部２１１は、例えばプログラムを実行する機能を備える。
【０２７１】《記憶部２１２》
記憶部２１２は、例えば演算部２１１が実行するプログラム、初期情報、設定情報または画像等を記憶する機能を有する。
【０２７２】具体的には、記憶部２１２は、ハードディスク、フラッシュメモリまたは酸化物半導体を含むトランジスタを用いたメモリ等を用いることができる。
【０２７３】《入出力インターフェース２１５、伝送路２１４》
入出力インターフェース２１５は端子または配線を備え、情報を供給し、情報を供給される機能を備える。例えば、伝送路２１４と電気的に接続することができる。また、入出力装置２２０と電気的に接続することができる。
【０２７４】伝送路２１４は配線を備え、情報を供給し、情報を供給される機能を備える。例えば、入出力インターフェース２１５と電気的に接続することができる。また、演算部２１１、記憶部２１２または入出力インターフェース２１５と電気的に接続することができる。
【０２７５】《入出力装置２２０の構成例》
入出力装置２２０は、入力情報ＩＩおよび検知情報ＤＳを供給する。入出力装置２２０は、制御情報ＣＩおよび画像情報Ｖ１を供給される（図１３（Ａ）参照）。
【０２７６】例えば、キーボードのスキャンコード、位置情報、ボタンの操作情報、音声情報または画像情報等を入力情報ＩＩに用いることができる。または、例えば、情報処理装置２００が使用される環境等の照度情報、姿勢情報、加速度情報、方位情報、圧力情報、温度情報または湿度情報等を検知情報ＤＳに用いることができる。
【０２７７】例えば、画像情報Ｖ１を表示する輝度を制御する信号、彩度を制御する信号、色相を制御する信号を、制御情報ＣＩに用いることができる。または、画像情報Ｖ１の一部の表示を変化する信号を、制御情報ＣＩに用いることができる。
【０２７８】入出力装置２２０は、表示部２３０、入力部２４０および検知部２５０を備える。例えば、実施の形態４において説明する入出力装置を用いることができる。
【０２７９】表示部２３０は制御情報ＣＩに基づいて、画像情報Ｖ１を表示する。
【０２８０】入力部２４０は入力情報ＩＩを生成する。
【０２８１】検知部２５０は検知情報ＤＳを生成する。
【０２８２】《表示部２３０》
表示部２３０は画像情報Ｖ１に基づいて画像を表示する機能を備える。表示部２３０は制御情報ＣＩに基づいて画像を表示する機能を備える。
【０２８３】表示部２３０は、制御部２３８と、駆動回路ＧＤと、駆動回路ＳＤと、表示パネル７００と、を有する（図１１参照）。例えば、実施の形態３において説明する表示装置を表示部２３０に用いることができる。
【０２８４】《入力部２４０》
入力部２４０は、位置情報Ｐ１を供給する機能を備える。さまざまなヒューマンインターフェイス等を入力部２４０に用いることができる（図１３（Ａ）参照）。
【０２８５】例えば、キーボード、マウス、タッチセンサ、マイクまたはカメラ等を入力部２４０に用いることができる。なお、表示部２３０に重なる領域を備えるタッチセンサを用いることができる。表示部２３０と表示部２３０に重なる領域を備えるタッチセンサを備える入出力装置を、タッチパネルまたはタッチスクリーンということができる。
【０２８６】例えば、使用者は、タッチパネルに触れた指をポインタに用いて様々なジェスチャー（タップ、ドラッグ、スワイプまたはピンチイン等）をすることができる。
【０２８７】例えば、演算装置２１０は、タッチパネルに接触する指の位置または軌跡等の情報を解析し、解析結果が所定の条件を満たすとき、特定のジェスチャーが供給されたとすることができる。これにより、使用者は、所定のジェスチャーにあらかじめ関連付けられた所定の操作命令を、当該ジェスチャーを用いて供給できる。
【０２８８】一例を挙げれば、使用者は、画像情報の表示位置を変更する「スクロール命令」を、タッチパネルに沿ってタッチパネルに接触する指を移動するジェスチャーを用いて供給できる。
【０２８９】《検知部２５０》
検知部２５０は検知情報ＤＳを供給する機能を備える。検知部２５０は、例えば、情報処理装置２００が使用される環境の照度を検出する機能を備え、照度情報を供給する機能を備える。
【０２９０】検知部２５０は、周囲の状態を検知して検知情報を供給する機能を備える。具体的には、照度情報、姿勢情報、加速度情報、方位情報、圧力情報、温度情報または湿度情報等を供給できる。
【０２９１】例えば、光検出器、姿勢検出器、加速度センサ、方位センサ、ＧＰＳ（Ｇｌｏｂａｌ  ｐｏｓｉｔｉｏｎｉｎｇ  Ｓｙｓｔｅｍ）信号受信回路、圧力センサ、温度センサ、湿度センサまたはカメラ等を、検知部２５０に用いることができる。
【０２９２】《通信部２９０》
通信部２９０は、ネットワークに情報を供給し、ネットワークから情報を取得する機能を備える。
【０２９３】《筐体》
なお、筐体は入出力装置２２０または演算装置２１０を収納する機能を備える。または、筐体は表示部２３０または演算装置２１０を支持する機能を備える。
【０２９４】これにより、情報処理装置は、情報処理装置が使用される環境において、情報処理装置の筐体が受ける光の強さを把握して動作することができる。または、情報処理装置の使用者は、表示方法を選択することができる。その結果、利便性または信頼性に優れた新規な情報処理装置を提供することができる。
【０２９５】なお、これらの構成は明確に分離できず、一つの構成が他の構成を兼ねる場合や他の構成の一部を含む場合がある。例えばタッチセンサが表示パネルに重ねられたタッチパネルは、表示部であるとともに入力部でもある。
【０２９６】《演算装置２１０の構成例２．》
演算装置２１０は人工知能部２１３を備える（図１３（Ａ）参照）。人工知能部２１３は、入力情報ＩＩまたは検知情報ＤＳに基づいて、制御情報ＣＩを生成する。
【０２９７】［入力情報ＩＩに対する自然言語処理］
具体的には、人工知能部２１３は入力情報ＩＩを自然言語処理して、入力情報ＩＩ全体から１つの特徴を抽出することができる。例えば、人工知能部２１３は、入力情報ＩＩに込められた感情等を推論し特徴とすることができる。また、当該特徴に好適であると経験的に感じられる色彩、模様または書体等を推論することができる。また、人工知能部２１３は、文字の色、模様または書体を指定する情報、背景の色または模様を指定する情報を生成し、制御情報ＣＩに用いることができる。
【０２９８】具体的には、人工知能部２１３は入力情報ＩＩを自然言語処理して、入力情報ＩＩに含まれる一部の言葉を抽出することができる。例えば、人工知能部２１３は文法的な誤り、事実誤認または感情を含む表現等を抽出することができる。また、人工知能部２１３は、抽出した一部を他の一部とは異なる色彩、模様または書体等で表示する制御情報ＣＩを生成し、用いることができる。
【０２９９】［入力情報ＩＩに対する画像処理］
具体的には、人工知能部２１３は入力情報ＩＩを画像処理して、入力情報ＩＩから１つの特徴を抽出することができる。例えば、人工知能部２１３は、入力情報ＩＩの画像が撮影された年代、屋内または屋外、昼または夜等を推論し特徴とすることができる。また、当該特徴に好適であると経験的に感じられる色調を推論し、当該色調を表示に用いるための制御情報ＣＩを生成することができる。具体的には、濃淡の表現に用いる色（例えば、フルカラー、白黒または茶褐色等）を指定する情報を制御情報ＣＩに用いることができる。
【０３００】具体的には、人工知能部２１３は入力情報ＩＩを画像処理して、入力情報ＩＩに含まれる一部の画像を抽出することができる。例えば、抽出した画像の一部と抽出した他の一部の間に境界を表示する制御情報ＣＩを生成することができる。具体的には、抽出した画像の一部を囲む矩形を表示する制御情報ＣＩを生成することができる。
【０３０１】［検知情報ＤＳを用いる推論］
具体的には、人工知能部２１３は検知情報ＤＳを情報ＩＮに用いて、推論ＲＩを生成することができる。または、推論ＲＩに基づいて、情報処理装置２００の使用者が快適であると感じられるように制御情報ＣＩを生成することができる。
【０３０２】具体的には、環境の照度等に基づいて、人工知能部２１３は、表示の明るさが快適であると感じられるように、表示の明るさを調整する制御情報ＣＩを生成することができる。または、人工知能部２１３は環境の騒音等に基づいて大きさが快適であると感じられるように、音量を調整する制御情報ＣＩを生成することができる。
【０３０３】なお、表示部２３０が備える制御部２３８に供給するクロック信号またはタイミング信号などを制御情報ＣＩに用いることができる。または、入力部２４０に供給するクロック信号またはタイミング信号などを制御情報ＣＩに用いることができる。
【０３０４】＜情報処理装置の構成例３．＞
本発明の一態様の情報処理装置の別の構成について、図１４（Ａ）および図１４（Ｂ）を参照しながら説明する。
【０３０５】《プログラム》
本発明の一態様のプログラムは、下記のステップを有する（図１４（Ａ）参照）。
【０３０６】［第１のステップ］
第１のステップにおいて、設定を初期化する（図１４（Ａ）（Ｓ１）参照）。
【０３０７】例えば、起動時に表示する所定の画像情報と、当該画像情報を表示する所定のモードと、当該画像情報を表示する所定の表示方法を特定する情報と、を記憶部２１２から取得する。具体的には、一の静止画像情報または他の動画像情報を所定の画像情報に用いることができる。また、第１のモードまたは第２のモードを所定のモードに用いることができる。
【０３０８】［第２のステップ］
第２のステップにおいて、割り込み処理を許可する（図１４（Ａ）（Ｓ２）参照）。なお、割り込み処理が許可された演算装置は、主の処理と並行して割り込み処理を行うことができる。割り込み処理から主の処理に復帰した演算装置は、割り込み処理をして得た結果を主の処理に反映することができる。
【０３０９】なお、カウンタの値が初期値であるとき、演算装置に割り込み処理をさせ、割り込み処理から復帰する際に、カウンタを初期値以外の値としてもよい。これにより、プログラムを起動した後に常に割り込み処理をさせることができる。
【０３１０】［第３のステップ］
第３のステップにおいて、第１のステップまたは割り込み処理において選択された、所定のモードまたは所定の表示方法を用いて画像情報を表示する（図１４（Ａ）（Ｓ３）参照）。なお、所定のモードは情報を表示するモードを特定し、所定の表示方法は画像情報を表示する方法を特定する。また、例えば、画像情報Ｖ１を表示する情報に用いることができる。
【０３１１】例えば、画像情報Ｖ１を表示する一の方法を、第１のモードに関連付けることができる。または、画像情報Ｖ１を表示する他の方法を第２のモードに関連付けることができる。これにより、選択されたモードに基づいて表示方法を選択することができる。
【０３１２】《第１のモード》
具体的には、３０Ｈｚ以上、好ましくは６０Ｈｚ以上の頻度で一の走査線に選択信号を供給し、選択信号に基づいて表示をする方法を、第１のモードに関連付けることができる。
【０３１３】例えば、３０Ｈｚ以上、好ましくは６０Ｈｚ以上の頻度で選択信号を供給すると、動画像の動きを滑らかに表示することができる。
【０３１４】例えば、３０Ｈｚ以上、好ましくは６０Ｈｚ以上の頻度で画像を更新すると、使用者の操作に滑らかに追従するように変化する画像を、使用者が操作中の情報処理装置２００に表示することができる。
【０３１５】《第２のモード》
具体的には、３０Ｈｚ未満、好ましくは１Ｈｚ未満、より好ましくは一分に一回未満の頻度で一の走査線に選択信号を供給し、選択信号に基づいて表示をする方法を、第２のモードに関連付けることができる。
【０３１６】３０Ｈｚ未満、好ましくは１Ｈｚ未満、より好ましくは一分に一回未満の頻度で選択信号を供給すると、フリッカーまたはちらつきが抑制された表示をすることができる。また、消費電力を低減することができる。
【０３１７】例えば、情報処理装置２００を時計に用いる場合、１秒に一回の頻度または１分に一回の頻度等で表示を更新することができる。
【０３１８】ところで、例えば、発光素子を表示素子に用いる場合、発光素子をパルス状に発光させて、画像情報を表示することができる。具体的には、パルス状に有機ＥＬ素子を発光させて、その残光を表示に用いることができる。有機ＥＬ素子は優れた周波数特性を備えるため、発光素子を駆動する時間を短縮し、消費電力を低減することができる場合がある。または、発熱が抑制されるため、発光素子の劣化を軽減することができる場合がある。
【０３１９】［第４のステップ］
第４のステップにおいて、終了命令が供給された場合は第５のステップに進み、終了命令が供給されなかった場合は第３のステップに進むように選択する（図１４（Ａ）（Ｓ４）参照）。
【０３２０】例えば、割り込み処理において供給された終了命令を判断に用いてもよい。
【０３２１】［第５のステップ］
第５のステップにおいて、終了する（図１４（Ａ）（Ｓ５）参照）。
【０３２２】《割り込み処理》
割り込み処理は以下の第６のステップ乃至第８のステップを備える（図１４（Ｂ）参照）。
【０３２３】［第６のステップ］
第６のステップにおいて、例えば、検知部２５０を用いて、情報処理装置２００が使用される環境の照度を検出する（図１４（Ｂ）（Ｓ６）参照）。なお、環境の照度に代えて環境光の色温度や色度を検出してもよい。
【０３２４】［第７のステップ］
第７のステップにおいて、検出した照度情報に基づいて表示方法を決定する（図１４（Ｂ）（Ｓ７）参照）。例えば、表示の明るさを暗すぎないように、または明るすぎないように決定する。
【０３２５】なお、第６のステップにおいて環境光の色温度や環境光の色度を検出した場合は、表示の色味を調節してもよい。
【０３２６】［第８のステップ］
第８のステップにおいて、割り込み処理を終了する（図１４（Ｂ）（Ｓ８）参照）。
【０３２７】＜情報処理装置の構成例３．＞
本発明の一態様の情報処理装置の別の構成について、図１５を参照しながら説明する。
【０３２８】図１５（Ａ）は、本発明の一態様のプログラムを説明するフローチャートである。図１５（Ａ）は、図１４（Ｂ）に示す割り込み処理とは異なる割り込み処理を説明するフローチャートである。
【０３２９】なお、情報処理装置の構成例３は、供給された所定のイベントに基づいて、モードを変更するステップを割り込み処理に有する点が、図１４（Ｂ）を参照しながら説明する割り込み処理とは異なる。ここでは、異なる部分について詳細に説明し、同様の構成を用いることができる部分について上記の説明を援用する。
【０３３０】《割り込み処理》
割り込み処理は以下の第６のステップ乃至第８のステップを備える（図１５（Ａ）参照）。
【０３３１】［第６のステップ］
第６のステップにおいて、所定のイベントが供給された場合は、第７のステップに進み、所定のイベントが供給されなかった場合は、第８のステップに進む（図１５（Ａ）（Ｕ６）参照）。例えば、所定の期間に所定のイベントが供給されたか否かを条件に用いることができる。具体的には、５秒以下、１秒以下または０．５秒以下好ましくは０．１秒以下であって０秒より長い期間を所定の期間とすることができる。
【０３３２】［第７のステップ］
第７のステップにおいて、モードを変更する（図１５（Ａ）（Ｕ７）参照）。具体的には、第１のモードを選択していた場合は、第２のモードを選択し、第２のモードを選択していた場合は、第１のモードを選択する。
【０３３３】例えば、表示部２３０の一部の領域について、表示モードを変更することができる。具体的には、駆動回路ＧＤＡ、駆動回路ＧＤＢおよび駆動回路ＧＤＣを備える表示部２３０の一の駆動回路が選択信号を供給する領域について、表示モードを変更することができる（図１５（Ｂ）参照）。
【０３３４】例えば、駆動回路ＧＤＢが選択信号を供給する領域と重なる領域にある入力部２４０に、所定のイベントが供給された場合に、駆動回路ＧＤＢが選択信号を供給する領域の表示モードを変更することができる（図１５（Ｂ）および図１５（Ｃ）参照）。具体的には、指等を用いてタッチパネルに供給する「タップ」イベントに応じて、駆動回路ＧＤＢが供給する選択信号の頻度を変更することができる。
【０３３５】なお、信号ＧＣＬＫは駆動回路ＧＤＢの動作を制御するクロック信号であり、信号ＰＷＣ１および信号ＰＷＣ２は駆動回路ＧＤＢの動作を制御するパルス幅制御信号である。駆動回路ＧＤＢは、信号ＧＣＬＫ、信号ＰＷＣ１および信号ＰＷＣ２等に基づいて、選択信号を走査線Ｇ１（ｍ＋１）乃至走査線Ｇ１（２ｍ）に供給する。
【０３３６】これにより、例えば、駆動回路ＧＤＡおよび駆動回路ＧＤＣが選択信号を供給することなく、駆動回路ＧＤＢが選択信号を供給することができる。または、駆動回路ＧＤＡおよび駆動回路ＧＤＣが選択信号を供給する領域の表示を変えることなく、駆動回路ＧＤＢが選択信号を供給する領域の表示を更新することができる。または、駆動回路が消費する電力を抑制することができる。
【０３３７】［第８のステップ］
第８のステップにおいて、割り込み処理を終了する（図１５（Ａ）（Ｕ８）参照）。なお、主の処理を実行している期間に割り込み処理を繰り返し実行してもよい。
【０３３８】《所定のイベント》
例えば、マウス等のポインティング装置を用いて供給する、「クリック」や「ドラッグ」等のイベント、指等をポインタに用いてタッチパネルに供給する、「タップ」、「ドラッグ」または「スワイプ」等のイベントを用いることができる。
【０３３９】また、例えば、ポインタが指し示すスライドバーの位置、スワイプの速度、ドラッグの速度等を用いて、所定のイベントに関連付けられた命令の引数を与えることができる。
【０３４０】例えば、検知部２５０が検知した情報をあらかじめ設定された閾値と比較して、比較結果をイベントに用いることができる。
【０３４１】具体的には、筐体に押し込むことができるように配設されたボタン等に接する感圧検知器等を検知部２５０に用いることができる。
【０３４２】《所定のイベントに関連付ける命令》
例えば、終了命令を、特定のイベントに関連付けることができる。
【０３４３】例えば、表示されている一の画像情報から他の画像情報に表示を切り替える「ページめくり命令」を、所定のイベントに関連付けることができる。なお、「ページめくり命令」を実行する際に用いるページをめくる速度などを決定する引数を、所定のイベントを用いて与えることができる。
【０３４４】例えば、一の画像情報の表示されている一部分の表示位置を移動して、一部分に連続する他の部分を表示する「スクロール命令」などを、所定のイベントに関連付けることができる。なお、「スクロール命令」を実行する際に用いる表示を移動する速度などを決定する引数を、所定のイベントを用いて与えることができる。
【０３４５】例えば、表示方法を設定する命令または画像情報を生成する命令などを、所定のイベントに関連付けることができる。なお、生成する画像の明るさを決定する引数を所定のイベントに関連付けることができる。また、生成する画像の明るさを決定する引数を、検知部２５０が検知する環境の明るさに基づいて決定してもよい。
【０３４６】例えば、プッシュ型のサービスを用いて配信される情報を、通信部２９０を用いて取得する命令などを、所定のイベントに関連付けることができる。
【０３４７】なお、情報を取得する資格の有無を、検知部２５０が検知する位置情報を用いて判断してもよい。具体的には、所定の教室、学校、会議室、企業、建物等の内部または領域にいる場合に、情報を取得する資格を有すると判断してもよい。これにより、例えば、学校または大学等の教室で配信される教材を受信して、情報処理装置２００を教科書等に用いることができる（図１３（Ｃ）参照）。または、企業等の会議室で配信される資料を受信して、会議資料に用いることができる。
【０３４８】なお、本実施の形態は、本明細書で示す他の実施の形態と適宜組み合わせることができる。
【０３４９】（実施の形態６）
本実施の形態では、本発明の一態様の情報処理装置の構成について、図１６および図１７を参照しながら説明する。
【０３５０】図１６および図１７は、本発明の一態様の情報処理装置の構成を説明する図である。図１６（Ａ）は情報処理装置のブロック図であり、図１６（Ｂ）乃至図１６（Ｅ）は情報処理装置の構成を説明する斜視図である。また、図１７（Ａ）乃至図１７（Ｅ）は情報処理装置の構成を説明する斜視図である。
【０３５１】＜情報処理装置＞
本実施の形態で説明する情報処理装置５２００Ｂは、演算装置５２１０と、入出力装置５２２０とを、有する（図１６（Ａ）参照）。
【０３５２】演算装置５２１０は、操作情報を供給される機能を備え、操作情報に基づいて画像情報を供給する機能を備える。
【０３５３】入出力装置５２２０は、表示部５２３０、入力部５２４０、検知部５２５０、通信部５２９０、操作情報を供給する機能および画像情報を供給される機能を備える。また、入出力装置５２２０は、検知情報を供給する機能、通信情報を供給する機能および通信情報を供給される機能を備える。
【０３５４】入力部５２４０は操作情報を供給する機能を備える。例えば、入力部５２４０は、情報処理装置５２００Ｂの使用者の操作に基づいて操作情報を供給する。
【０３５５】具体的には、キーボード、ハードウェアボタン、ポインティングデバイス、タッチセンサ、照度センサ、撮像装置、音声入力装置、視線入力装置、姿勢検出装置などを、入力部５２４０に用いることができる。
【０３５６】表示部５２３０は表示パネルおよび画像情報を表示する機能を備える。例えば、実施の形態１において説明する表示パネルを表示部５２３０に用いることができる。
【０３５７】検知部５２５０は検知情報を供給する機能を備える。例えば、情報処理装置が使用されている周辺の環境を検知して、検知情報として供給する機能を備える。
【０３５８】具体的には、照度センサ、撮像装置、姿勢検出装置、圧力センサ、人感センサなどを検知部５２５０に用いることができる。
【０３５９】通信部５２９０は通信情報を供給される機能および供給する機能を備える。例えば、無線通信または有線通信により、他の電子機器または通信網と接続する機能を備える。具体的には、無線構内通信、電話通信、近距離無線通信などの機能を備える。
【０３６０】《情報処理装置の構成例１．》
例えば、円筒状の柱などに沿った外形を表示部５２３０に適用することができる（図１６（Ｂ）参照）。また、使用環境の照度に応じて、表示方法を変更する機能を備える。また、人の存在を検知して、表示内容を変更する機能を備える。これにより、例えば、建物の柱に設置することができる。または、広告または案内等を表示することができる。または、デジタル・サイネージ等に用いることができる。
【０３６１】《情報処理装置の構成例２．》
例えば、使用者が使用するポインタの軌跡に基づいて画像情報を生成する機能を備える（図１６（Ｃ）参照）。具体的には、対角線の長さが２０インチ以上、好ましくは４０インチ以上、より好ましくは５５インチ以上の表示パネルを用いることができる。または、複数の表示パネルを並べて１つの表示領域に用いることができる。または、複数の表示パネルを並べてマルチスクリーンに用いることができる。これにより、例えば、電子黒板、電子掲示板、電子看板等に用いることができる。
【０３６２】《情報処理装置の構成例３．》
例えば、使用環境の照度に応じて、表示方法を変更する機能を備える（図１６（Ｄ）参照）。これにより、例えば、スマートウオッチの消費電力を低減することができる。または、例えば、晴天の屋外等の外光の強い環境においても好適に使用できるように、画像をスマートウオッチに表示することができる。
【０３６３】《情報処理装置の構成例４．》
表示部５２３０は、例えば、筐体の側面に沿って緩やかに曲がる曲面を備える（図１６（Ｅ）参照）。または、表示部５２３０は表示パネルを備え、表示パネルは、例えば、前面、側面および上面に表示する機能を備える。これにより、例えば、携帯電話の前面だけでなく、側面および上面に画像情報を表示することができる。
【０３６４】《情報処理装置の構成例５．》
例えば、使用環境の照度に応じて、表示方法を変更する機能を備える（図１７（Ａ）参照）。これにより、スマートフォンの消費電力を低減することができる。または、例えば、晴天の屋外等の外光の強い環境においても好適に使用できるように、画像をスマートフォンに表示することができる。
【０３６５】《情報処理装置の構成例６．》
例えば、使用環境の照度に応じて、表示方法を変更する機能を備える（図１７（Ｂ）参照）。これにより、晴天の日に屋内に差し込む強い外光が当たっても好適に使用できるように、映像をテレビジョンシステムに表示することができる。
【０３６６】《情報処理装置の構成例７．》
例えば、使用環境の照度に応じて、表示方法を変更する機能を備える（図１７（Ｃ）参照）。これにより、例えば、晴天の屋外等の外光の強い環境においても好適に使用できるように、画像をタブレットコンピュータに表示することができる。
【０３６７】《情報処理装置の構成例８．》
例えば、使用環境の照度に応じて、表示方法を変更する機能を備える（図１７（Ｄ）参照）。これにより、例えば、晴天の屋外等の外光の強い環境においても好適に閲覧できるように、被写体をデジタルカメラに表示することができる。
【０３６８】《情報処理装置の構成例９．》
例えば、使用環境の照度に応じて、表示方法を変更する機能を備える（図１７（Ｅ）参照）。これにより、例えば、晴天の屋外等の外光の強い環境においても好適に使用できるように、画像をパーソナルコンピュータに表示することができる。
【０３６９】なお、本実施の形態は、本明細書で示す他の実施の形態と適宜組み合わせることができる。
【０３７０】例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に開示されているものとする。
【０３７１】ここで、Ｘ、Ｙは、対象物（例えば、装置、素子、回路、配線、電極、端子、導電膜、層、など）であるとする。
【０３７２】ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【０３７３】ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【０３７４】ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【０３７５】なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【０３７６】なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０３７７】例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。
【０３７８】または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。
【０３７９】なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０３８０】なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【符号の説明】
【０３８１】ＡＮＯ：導電膜、Ｃ２１：容量素子、ＣＩ：制御情報、ＤＳ：検知情報、Ｇ１（ｉ）：走査線、Ｇ２（ｉ）：配線、ＧＣＬＫ：信号、ＧＤＡ：駆動回路、ＧＤＢ：駆動回路、ＧＤＣ：駆動回路、ＧＤ：駆動回路、ＩＩ：入力情報、ＩＮ：情報、Ｓ１（ｊ）：信号線、Ｓ２（ｊ）：補助信号線、ＳＤ：駆動回路、ＳＰ：制御信号、ＳＷ２：スイッチ、Ｐ１：位置情報、ＰＷＣ１：信号、ＰＷＣ２：信号、Ｖ１：画像情報、Ｖ１１：情報、ＶＣＯＭ２：導電膜、２００：情報処理装置、２１０：演算装置、２１１：演算部、２１２：記憶部、２１３：人工知能部、２１４：伝送路、２１５：入出力インターフェース、２２０：入出力装置、２３０：表示部、２３１：表示領域、２３３：制御回路、２３４：伸張回路、２３５：画像処理回路、２３８：制御部、２４０：入力部、２４１：検知領域、２４８：制御部、２５０：検知部、２７０：入力部、２９０：通信部、５０１Ｃ：絶縁膜、５０４：導電膜、５０６：絶縁膜、５０８：半導体膜、５１０：基材、５１２Ａ：導電膜、５１２Ｂ：導電膜、５１６：絶縁膜、５１８：絶縁膜、５１９Ｃ：端子、５２０Ａ：機能層、５２０Ｂ：機能層、５２１：絶縁膜、５２１Ｂ：絶縁膜、５２８：絶縁膜、５３０：画素回路、５５０：表示素子、５５１：電極、５５２：電極、５５３（ｊ）：発光性の材料を含む層、５９１Ａ：接続部、５９１Ｃ（ｉ，ｙ）：接続部、５９１Ｄ（ｊ）：接続部、７００：表示パネル、７００ＴＰ：入出力パネル、７０２：画素、７２０：機能層、７７０：基材、７７０Ｐ：機能膜、７７１：絶縁膜、７７５：検知素子、５２００Ｂ：情報処理装置、５２１０：演算装置、５２２０：入出力装置、５２３０：表示部、５２４０：入力部、５２５０：検知部、５２９０：通信部
【図１】
2019150210.tif 000003
【図２】
2019150210.tif 000004
【図３】
2019150210.tif 000005
【図４】
2019150210.tif 000006
【図５】
2019150210.tif 000007
【図６】
2019150210.tif 000008
【図７】
2019150210.tif 000009
【図８】
2019150210.tif 000010
【図９】
2019150210.tif 000011
【図１０】
2019150210.tif 000012
【図１１】
2019150210.tif 000013
【図１２】
2019150210.tif 000014
【図１３】
2019150210.tif 000015
【図１４】
2019150210.tif 000016
【図１５】
2019150210.tif 000017
【図１６】
2019150210.tif 000018
【図１７】
2019150210.tif 000019
【国際調査報告】
2019150210.tif 000020
2019150210.tif 000021
2019150210.tif 000022
2019150210.tif 000023